(57)【要約】【課題】  照明の無い反射型ＬＣＤ（ＯＬＣ）とバックライト付ＴＦＴを共に備える電子カメラにおいて、通常はＯＬＣにより素早い設定表示を行い、夜間等の暗時はＯＬＣの表示内容をＴＦＴに切り替えて表示を行うことにより、利便性、省電力とコストを両立させる。【解決手段】  撮影系スイッチを、所定時間より短く（普通に）押すと通常のＯＬＣによる設定表示を行い、所定時間より長く押すとＯＬＣの代りにＴＦＴを点灯して設定表示を行う。【選択図】  図１
2006217312.tif 000002
【特許請求の範囲】
【請求項１】
撮像した静止画像及び或いは動画像を記録媒体に記録及び再生表示する画像処理装置であって、
撮像手段と、照明機能を備えない第１の表示手段と、照明機能を備える第２の表示手段と、操作手段と、切り替え手段とを有し、
前記第１の表示手段による撮像に関する表示内容を視認出来ない場合は、前記操作手段に指示入力することにより、前記切り替え手段により前記第１の表示手段の表示内容を前記第２の表示手段に切り替えて表示可能であることを特徴とする画像処理装置。
【請求項２】
前記指示入力が、通常よりも長い操作時間による操作であることを特徴とする請求項１の画像処理装置。
【請求項３】
前記通常よりも長い操作時間による操作が、撮像に関する設定操作であることを特徴とする請求項２の画像処理装置。
【請求項４】
前記操作手段が、前記第１の表示手段の近傍に配置されていることを特徴とする請求項１乃至請求項３の画像処理装置。
【請求項５】
前記操作手段が、測光モード切り替えボタン、単写／連写／セルフタイマー切り替えボタン、ＡＦモード切り替えボタン、ホワイトバランスモード切り替えボタン、ＡＥロックボタン、ＥＦロックボタン、ＡＦ測距点切り替えボタン、内蔵フラッシュポップアップボタン、絞り込みボタンの何れかの単数或いは複数の組み合わせ或いは全ての組み合わせであることを特徴とする請求項１乃至請求項４の画像処理装置。
【請求項６】
撮像した静止画像及び或いは動画像を記録媒体に記録及び再生表示する画像処理装置であって、
撮像手段と、撮像に関する設定を表示する照明機能を備えない第１の表示手段と、第１の表示手段の近傍に位置して撮像に関する設定を行う操作手段と、照明機能を備える第２の表示手段とを有し、
前記操作手段を第１の操作方法により操作した場合は前記第１の表示手段により撮像に関する設定表示を行い、前記操作手段を第２の操作方法により操作した場合は前記第２の表示手段により撮像に関する設定表示を行うことを特徴とする画像処理装置。
【請求項７】
前記第１の操作方法が短い操作時間による操作であり、前記第２の操作方法が長い操作時間による操作であることを特徴とする請求項６の画像処理装置。
【請求項８】
前記操作手段が、測光モード切り替えボタン、単写／連写／セルフタイマー切り替えボタン、ＡＦモード切り替えボタン、ホワイトバランスモード切り替えボタン、ＡＥロックボタン、ＥＦロックボタン、ＡＦ測距点切り替えボタン、内蔵フラッシュポップアップボタン、絞り込みボタンの何れかの単数或いは複数の組み合わせ或いは全ての組み合わせであり、前記第１の操作方法及び前記第２の操作方法が前記操作手段の何れかの操作であることを特徴とする請求項６乃至請求項７の画像処理装置。
【請求項９】
撮像した静止画像及び或いは動画像を記録媒体に記録及び再生表示する画像処理装置であって、
撮像手段と、照明機能を備えない第１の表示手段と、照明機能を備える第２の表示手段と、測光手段と、切り替え手段とを有し、
前記測光手段により測光した照度から、前記第１の表示手段による撮像に関する表示内容を視認出来ないと判断した場合は、前記切り替え手段により前記第１の表示手段の表示内容を前記第２の表示手段に切り替えて表示することを特徴とする画像処理装置。
【請求項１０】
前記測光手段は、撮像に関する測光情報を前記撮像手段に供給することを特徴とする請求項９の画像処理装置。
【請求項１１】
撮像手段と、照明機能を備えない第１の表示手段と、照明機能を備える第２の表示手段と、操作手段と、切り替え手段とを有し、撮像した静止画像及び或いは動画像を記録媒体に記録及び再生表示する画像処理装置を制御する制御方法であって、前記第１の表示手段による撮像に関する表示内容を視認出来ない場合は、前記操作手段に指示入力することにより、前記切り替え手段により前記第１の表示手段の表示内容を前記第２の表示手段に切り替えて表示制御可能であることを特徴とする画像処理装置の制御方法。
【請求項１２】
前記指示入力が、通常よりも長い操作時間による操作であることを特徴とする請求項１１の画像処理装置の制御方法。
【請求項１３】
前記通常よりも長い操作時間による操作が、撮像に関する設定操作であることを特徴とする請求項１２の画像処理装置の制御方法。
【請求項１４】
前記操作手段が、前記第１の表示手段の近傍に配置されていることを特徴とする請求項１１乃至請求項１３の画像処理装置の制御方法。
【請求項１５】
前記操作手段が、測光モード切り替えボタン、単写／連写／セルフタイマー切り替えボタン、ＡＦモード切り替えボタン、ホワイトバランスモード切り替えボタン、ＡＥロックボタン、ＥＦロックボタン、ＡＦ測距点切り替えボタン、内蔵フラッシュポップアップボタン、絞り込みボタンの何れかの単数或いは複数の組み合わせ或いは全ての組み合わせであることを特徴とする請求項１１乃至請求項１４の画像処理装置の制御方法。
【請求項１６】
撮像手段と、撮像に関する設定を表示する照明機能を備えない第１の表示手段と、第１の表示手段の近傍に位置して撮像に関する設定を行う操作手段と、照明機能を備える第２の表示手段とを有し、撮像した静止画像及び或いは動画像を記録媒体に記録及び再生表示する画像処理装置を制御する制御方法であって、
前記操作手段を第１の操作方法により操作した場合は前記第１の表示手段により撮像に関する設定表示を行い、前記操作手段を第２の操作方法により操作した場合は前記第２の表示手段により撮像に関する設定表示を行うことを特徴とする画像処理装置の制御方法。
【請求項１７】
前記第１の操作方法が短い操作時間による操作であり、前記第２の操作方法が長い操作時間による操作であることを特徴とする請求項１６の画像処理装置の制御方法。
【請求項１８】
前記操作手段が、測光モード切り替えボタン、単写／連写／セルフタイマー切り替えボタン、ＡＦモード切り替えボタン、ホワイトバランスモード切り替えボタン、ＡＥロックボタン、ＥＦロックボタン、ＡＦ測距点切り替えボタン、内蔵フラッシュポップアップボタン、絞り込みボタンの何れかの単数或いは複数の組み合わせ或いは全ての組み合わせであり、前記第１の操作方法及び前記第２の操作方法が前記操作手段の何れかの操作であることを特徴とする請求項１６乃至請求項１７の画像処理装置の制御方法。
【請求項１９】
撮像手段と、照明機能を備えない第１の表示手段と、照明機能を備える第２の表示手段と、測光手段と、切り替え手段とを有し、撮像した静止画像及び或いは動画像を記録媒体に記録及び再生表示する画像処理装置であって、
前記測光手段により測光した照度から、前記第１の表示手段による撮像に関する表示内容を視認出来ないと判断した場合は、前記切り替え手段により前記第１の表示手段の表示内容を前記第２の表示手段に切り替えて表示することを特徴とする画像処理装置の制御方法。
【請求項２０】
前記測光手段は、撮像に関する測光情報を前記撮像手段に供給することを特徴とする請求項１９の画像処理装置の制御方法。
【請求項２１】
撮像手段と、照明機能を備えない第１の表示手段と、照明機能を備える第２の表示手段と、操作手段と、切り替え手段とを有し、撮像した静止画像及び或いは動画像を記録媒体に記録及び再生表示する画像処理装置を制御する制御プログラムを格納した記憶媒体であって
前記第１の表示手段による撮像に関する表示内容を視認出来ない場合は、前記操作手段に指示入力することにより、前記切り替え手段により前記第１の表示手段の表示内容を前記第２の表示手段に切り替えて表示制御を行う工程のコードを具備することを特徴とする記憶媒体。
【請求項２２】
前記指示入力が、通常よりも長い操作時間による操作であることを特徴とする請求項２１の記憶媒体。
【請求項２３】
前記通常よりも長い操作時間による操作が、撮像に関する設定操作であることを特徴とする請求項２２の記憶媒体。
【請求項２４】
前記操作手段が、前記第１の表示手段の近傍に配置されていることを特徴とする請求項２１乃至請求項２３の記憶媒体。
【請求項２５】
前記操作手段が、測光モード切り替えボタン、単写／連写／セルフタイマー切り替えボタン、ＡＦモード切り替えボタン、ホワイトバランスモード切り替えボタン、ＡＥロックボタン、ＥＦロックボタン、ＡＦ測距点切り替えボタン、内蔵フラッシュポップアップボタン、絞り込みボタンの何れかの単数或いは複数の組み合わせ或いは全ての組み合わせであることを特徴とする請求項２１乃至請求項２４の記憶媒体。
【請求項２６】
撮像手段と、撮像に関する設定を表示する照明機能を備えない第１の表示手段と、第１の表示手段の近傍に位置して撮像に関する設定を行う操作手段と、照明機能を備える第２の表示手段とを有し、撮像した静止画像及び或いは動画像を記録媒体に記録及び再生表示する画像処理装置を制御する制御プログラムを格納した記憶媒体であって
前記操作手段を第１の操作方法により操作した場合は前記第１の表示手段により撮像に関する設定表示を行い、前記操作手段を第２の操作方法により操作した場合は前記第２の表示手段により撮像に関する設定表示を行う工程のコードを具備することを特徴とする記憶媒体。
【請求項２７】
前記第１の操作方法が短い操作時間による操作であり、前記第２の操作方法が長い操作時間による操作であることを特徴とする請求項２６の記憶媒体。
【請求項２８】
前記操作手段が、測光モード切り替えボタン、単写／連写／セルフタイマー切り替えボタン、ＡＦモード切り替えボタン、ホワイトバランスモード切り替えボタン、ＡＥロックボタン、ＥＦロックボタン、ＡＦ測距点切り替えボタン、内蔵フラッシュポップアップボタン、絞り込みボタンの何れかの単数或いは複数の組み合わせ或いは全ての組み合わせであり、前記第１の操作方法及び前記第２の操作方法が前記操作手段の何れかの操作であることを特徴とする請求項２６乃至請求項２７の記憶媒体。
【請求項２９】
撮像手段と、照明機能を備えない第１の表示手段と、照明機能を備える第２の表示手段と、測光手段と、切り替え手段とを有し、撮像した静止画像及び或いは動画像を記録媒体に記録及び再生表示する画像処理装置を制御する制御プログラムを格納した記憶媒体であって
前記測光手段により測光した照度から、前記第１の表示手段による撮像に関する表示内容を視認出来ないと判断した場合は、前記切り替え手段により前記第１の表示手段の表示内容を前記第２の表示手段に切り替えて表示する工程のコードを具備することを特徴とする記憶媒体。
【請求項３０】
前記測光手段は、撮像に関する測光情報を前記撮像手段に供給することを特徴とする請求項２９の記憶媒体。
【発明の詳細な説明】
【技術分野】
【０００１】
本発明は、静止画像や動画像を撮像、記録、再生する画像処理装置及び画像処理装置制御方法に関する。
【背景技術】
【０００２】
従来、固体メモリ素子を有するメモリカードを記録媒体として、静止画像や動画像を記録及び再生する電子カメラ等の画像処理装置は既に市販されており、電子カメラの設定状態を常時表示することが可能な低消費電力の反射型ＬＣＤパネルや、バックライトを備えた透過型カラー液晶パネル等の電子ファインダを備える電子カメラも販売されている。
【０００３】
これらの電子カメラによれば、ＬＣＤパネルを用いて、電子カメラの設定状態を確認しながら素早く設定切り替えをすることが可能である。
【０００４】
また、カラー液晶パネルを用いて、撮影前の画像を連続して表示して電子カメラの使用者が構図を決定することや、撮影した画像を再生表示して確認することが可能である。
【発明の開示】
【発明が解決しようとする課題】
【０００５】
このような従来の電子カメラ等の画像処理装置においては、低消費電力の反射型ＬＣＤパネルは照明手段を備えない構成であるため、夜間等の暗い状況においては、電子カメラの設定状態を確認することが難しかった。一方、照明手段であるバックライトを備えた透過型カラー液晶パネルは電力消費量が多いため、常時表示して使用することが難しく、消灯している際には素早い設定切り替え操作を行うことが出来ないため不便だった。
【０００６】
反射型ＬＣＤパネルに別途照明手段を備える構成とする方法もあるが、この場合は、コスト追加と新たな実装スペースを必要とするため、低価格化や小型化を実現する際に障害となるという問題があった。
【課題を解決するための手段】
【０００７】
本発明に係る画像処理装置に於いては、第１に、撮像した静止画像及び或いは動画像を記録媒体に記録及び再生表示する画像処理装置であって、撮像手段と、照明機能を備えない第１の表示手段と、照明機能を備える第２の表示手段と、操作手段と、切り替え手段とを有し、前記第１の表示手段による撮像に関する表示内容を視認出来ない場合は、前記操作手段に指示入力することにより、前記切り替え手段により前記第１の表示手段の表示内容を前記第２の表示手段に切り替えて表示可能であることを特徴とする。
【０００８】
第２に、前記指示入力が、通常よりも長い操作時間による操作であることを特徴とする。
【０００９】
第３に、前記通常よりも長い操作時間による操作が、撮像に関する設定操作であることを特徴とする。
【００１０】
第４に、前記操作手段が、前記第１の表示手段の近傍に配置されていることを特徴とする。
【００１１】
第５に、前記操作手段が、測光モード切り替えボタン、単写／連写／セルフタイマー切り替えボタン、ＡＦモード切り替えボタン、ホワイトバランスモード切り替えボタン、ＡＥロックボタン、ＥＦロックボタン、ＡＦ測距点切り替えボタン、内蔵フラッシュポップアップボタン、絞り込みボタンの何れかの単数或いは複数の組み合わせ或いは全ての組み合わせであることを特徴とする。
【００１２】
第６に、撮像した静止画像及び或いは動画像を記録媒体に記録及び再生表示する画像処理装置であって、撮像手段と、撮像に関する設定を表示する照明機能を備えない第１の表示手段と、第１の表示手段の近傍に位置して撮像に関する設定を行う操作手段と、照明機能を備える第２の表示手段とを有し、前記操作手段を第１の操作方法により操作した場合は前記第１の表示手段により撮像に関する設定表示を行い、前記操作手段を第２の操作方法により操作した場合は前記第２の表示手段により撮像に関する設定表示を行うことを特徴とする。
【００１３】
第７に、前記第１の操作方法が短い操作時間による操作であり、前記第２の操作方法が長い操作時間による操作であることを特徴とする。
【００１４】
第８に、前記操作手段が、測光モード切り替えボタン、単写／連写／セルフタイマー切り替えボタン、ＡＦモード切り替えボタン、ホワイトバランスモード切り替えボタン、ＡＥロックボタン、ＥＦロックボタン、ＡＦ測距点切り替えボタン、内蔵フラッシュポップアップボタン、絞り込みボタンの何れかの単数或いは複数の組み合わせ或いは全ての組み合わせであり、前記第１の操作方法及び前記第２の操作方法が前記操作手段の何れかの操作であることを特徴とする。
【００１５】
第９に、撮像した静止画像及び或いは動画像を記録媒体に記録及び再生表示する画像処理装置であって、撮像手段と、照明機能を備えない第１の表示手段と、照明機能を備える第２の表示手段と、測光手段と、切り替え手段とを有し、前記測光手段により測光した照度から、前記第１の表示手段による撮像に関する表示内容を視認出来ないと判断した場合は、前記切り替え手段により前記第１の表示手段の表示内容を前記第２の表示手段に切り替えて表示することを特徴とする。
【００１６】
第１０に、前記測光手段は、撮像に関する測光情報を前記撮像手段に供給することを特徴とする。
【００１７】
そして、本発明に係る画像処理装置の制御方法に於いては、第１１に、撮像手段と、照明機能を備えない第１の表示手段と、照明機能を備える第２の表示手段と、操作手段と、切り替え手段とを有し、撮像した静止画像及び或いは動画像を記録媒体に記録及び再生表示する画像処理装置を制御する制御方法であって、前記第１の表示手段による撮像に関する表示内容を視認出来ない場合は、前記操作手段に指示入力することにより、前記切り替え手段により前記第１の表示手段の表示内容を前記第２の表示手段に切り替えて表示制御可能であることを特徴とする。
【００１８】
第１２に、前記指示入力が、通常よりも長い操作時間による操作であることを特徴とする。
【００１９】
第１３に、前記通常よりも長い操作時間による操作が、撮像に関する設定操作であることを特徴とする。
【００２０】
第１４に、前記操作手段が、前記第１の表示手段の近傍に配置されていることを特徴とする。
【００２１】
第１５に、前記操作手段が、測光モード切り替えボタン、単写／連写／セルフタイマー切り替えボタン、ＡＦモード切り替えボタン、ホワイトバランスモード切り替えボタン、ＡＥロックボタン、ＥＦロックボタン、ＡＦ測距点切り替えボタン、内蔵フラッシュポップアップボタン、絞り込みボタンの何れかの単数或いは複数の組み合わせ或いは全ての組み合わせであることを特徴とする。
【００２２】
第１６に、撮像手段と、撮像に関する設定を表示する照明機能を備えない第１の表示手段と、第１の表示手段の近傍に位置して撮像に関する設定を行う操作手段と、照明機能を備える第２の表示手段とを有し、撮像した静止画像及び或いは動画像を記録媒体に記録及び再生表示する画像処理装置を制御する制御方法であって、前記操作手段を第１の操作方法により操作した場合は前記第１の表示手段により撮像に関する設定表示を行い、前記操作手段を第２の操作方法により操作した場合は前記第２の表示手段により撮像に関する設定表示を行うことを特徴とする。
【００２３】
第１７に、前記第１の操作方法が短い操作時間による操作であり、前記第２の操作方法が長い操作時間による操作であることを特徴とする。
【００２４】
第１８に、前記操作手段が、測光モード切り替えボタン、単写／連写／セルフタイマー切り替えボタン、ＡＦモード切り替えボタン、ホワイトバランスモード切り替えボタン、ＡＥロックボタン、ＥＦロックボタン、ＡＦ測距点切り替えボタン、内蔵フラッシュポップアップボタン、絞り込みボタンの何れかの単数或いは複数の組み合わせ或いは全ての組み合わせであり、前記第１の操作方法及び前記第２の操作方法が前記操作手段の何れかの操作であることを特徴とする。
【００２５】
第１９に、撮像手段と、照明機能を備えない第１の表示手段と、照明機能を備える第２の表示手段と、測光手段と、切り替え手段とを有し、撮像した静止画像及び或いは動画像を記録媒体に記録及び再生表示する画像処理装置であって、前記測光手段により測光した照度から、前記第１の表示手段による撮像に関する表示内容を視認出来ないと判断した場合は、前記切り替え手段により前記第１の表示手段の表示内容を前記第２の表示手段に切り替えて表示することを特徴とする。
【００２６】
第２０に、前記測光手段は、撮像に関する測光情報を前記撮像手段に供給することを特徴とする。
【００２７】
そして、本発明に係る記憶媒体に於いては、第２１に、撮像手段と、照明機能を備えない第１の表示手段と、照明機能を備える第２の表示手段と、操作手段と、切り替え手段とを有し、撮像した静止画像及び或いは動画像を記録媒体に記録及び再生表示する画像処理装置を制御する制御プログラムを格納した記憶媒体であって前記第１の表示手段による撮像に関する表示内容を視認出来ない場合は、前記操作手段に指示入力することにより、前記切り替え手段により前記第１の表示手段の表示内容を前記第２の表示手段に切り替えて表示制御を行う工程のコードを具備することを特徴とする。
【００２８】
第２２に、前記指示入力が、通常よりも長い操作時間による操作であることを特徴とする。
【００２９】
第２３に、前記通常よりも長い操作時間による操作が、撮像に関する設定操作であることを特徴とする。
【００３０】
第２４に、前記操作手段が、前記第１の表示手段の近傍に配置されていることを特徴とする。
【００３１】
第２５に、前記操作手段が、測光モード切り替えボタン、単写／連写／セルフタイマー切り替えボタン、ＡＦモード切り替えボタン、ホワイトバランスモード切り替えボタン、ＡＥロックボタン、ＥＦロックボタン、ＡＦ測距点切り替えボタン、内蔵フラッシュポップアップボタン、絞り込みボタンの何れかの単数或いは複数の組み合わせ或いは全ての組み合わせであることを特徴とする。
【００３２】
第２６に、撮像手段と、撮像に関する設定を表示する照明機能を備えない第１の表示手段と、第１の表示手段の近傍に位置して撮像に関する設定を行う操作手段と、照明機能を備える第２の表示手段とを有し、撮像した静止画像及び或いは動画像を記録媒体に記録及び再生表示する画像処理装置を制御する制御プログラムを格納した記憶媒体であって前記操作手段を第１の操作方法により操作した場合は前記第１の表示手段により撮像に関する設定表示を行い、前記操作手段を第２の操作方法により操作した場合は前記第２の表示手段により撮像に関する設定表示を行う工程のコードを具備することを特徴とする。
【００３３】
第２７に、前記第１の操作方法が短い操作時間による操作であり、前記第２の操作方法が長い操作時間による操作であることを特徴とする。
【００３４】
第２８に、前記操作手段が、測光モード切り替えボタン、単写／連写／セルフタイマー切り替えボタン、ＡＦモード切り替えボタン、ホワイトバランスモード切り替えボタン、ＡＥロックボタン、ＥＦロックボタン、ＡＦ測距点切り替えボタン、内蔵フラッシュポップアップボタン、絞り込みボタンの何れかの単数或いは複数の組み合わせ或いは全ての組み合わせであり、前記第１の操作方法及び前記第２の操作方法が前記操作手段の何れかの操作であることを特徴とする。
【００３５】
第２９に、撮像手段と、照明機能を備えない第１の表示手段と、照明機能を備える第２の表示手段と、測光手段と、切り替え手段とを有し、撮像した静止画像及び或いは動画像を記録媒体に記録及び再生表示する画像処理装置を制御する制御プログラムを格納した記憶媒体であって前記測光手段により測光した照度から、前記第１の表示手段による撮像に関する表示内容を視認出来ないと判断した場合は、前記切り替え手段により前記第１の表示手段の表示内容を前記第２の表示手段に切り替えて表示する工程のコードを具備することを特徴とする。
【００３６】
第３０に、前記測光手段は、撮像に関する測光情報を前記撮像手段に供給することを特徴とする。
【００３７】
上記手段により、低消費電力の反射型ＬＣＤパネルは照明手段を備えない構成であるため、夜間等の暗い状況においては、電子カメラの設定状態を確認することが難しいという問題の無い画像処理装置及び画像処理装置制御方法を提供することが可能となる。
【００３８】
また、照明手段であるバックライトを備えた透過型カラー液晶パネルは電力消費量が多いため、常時表示して使用することが難しく、消灯している際には素早い設定切り替え操作を行うことが出来ないため不便であるという問題の無い画像処理装置及び画像処理装置制御方法を提供することが可能となる。
【００３９】
さらに、反射型ＬＣＤパネルに別途照明手段を備える構成とする方法もあるが、この場合は、コスト追加と新たな実装スペースを必要とするため、低価格化や小型化を実現する際に障害となるという問題の無い画像処理装置及び画像処理装置制御方法を提供することが可能となる。
【発明の効果】
【００４０】
以上の説明から容易に理解できるように、本発明によれば、第１に、本発明に係る画像処理装置に於いては、第１に、撮像した静止画像及び或いは動画像を記録媒体に記録及び再生表示する画像処理装置であって、撮像手段と、照明機能を備えない第１の表示手段と、照明機能を備える第２の表示手段と、操作手段と、切り替え手段とを有し、前記第１の表示手段による撮像に関する表示内容を視認出来ない場合は、前記操作手段に指示入力することにより、前記切り替え手段により前記第１の表示手段の表示内容を前記第２の表示手段に切り替えて表示可能であることを特徴とする画像処理装置を提供することが可能となる。
【００４１】
第２に、前記指示入力が、通常よりも長い操作時間による操作であることを特徴とする画像処理装置を提供することが可能となる。
【００４２】
第３に、前記通常よりも長い操作時間による操作が、撮像に関する設定操作であることを特徴とする画像処理装置を提供することが可能となる。
【００４３】
第４に、前記操作手段が、前記第１の表示手段の近傍に配置されていることを特徴とする画像処理装置を提供することが可能となる。
【００４４】
第５に、前記操作手段が、測光モード切り替えボタン、単写／連写／セルフタイマー切り替えボタン、ＡＦモード切り替えボタン、ホワイトバランスモード切り替えボタン、ＡＥロックボタン、ＥＦロックボタン、ＡＦ測距点切り替えボタン、内蔵フラッシュポップアップボタン、絞り込みボタンの何れかの単数或いは複数の組み合わせ或いは全ての組み合わせであることを特徴とする画像処理装置を提供することが可能となる。
【００４５】
第６に、撮像した静止画像及び或いは動画像を記録媒体に記録及び再生表示する画像処理装置であって、撮像手段と、撮像に関する設定を表示する照明機能を備えない第１の表示手段と、第１の表示手段の近傍に位置して撮像に関する設定を行う操作手段と、照明機能を備える第２の表示手段とを有し、前記操作手段を第１の操作方法により操作した場合は前記第１の表示手段により撮像に関する設定表示を行い、前記操作手段を第２の操作方法により操作した場合は前記第２の表示手段により撮像に関する設定表示を行うことを特徴とする画像処理装置を提供することが可能となる。
【００４６】
第７に、前記第１の操作方法が短い操作時間による操作であり、前記第２の操作方法が長い操作時間による操作であることを特徴とする画像処理装置を提供することが可能となる。
【００４７】
第８に、前記操作手段が、測光モード切り替えボタン、単写／連写／セルフタイマー切り替えボタン、ＡＦモード切り替えボタン、ホワイトバランスモード切り替えボタン、ＡＥロックボタン、ＥＦロックボタン、ＡＦ測距点切り替えボタン、内蔵フラッシュポップアップボタン、絞り込みボタンの何れかの単数或いは複数の組み合わせ或いは全ての組み合わせであり、前記第１の操作方法及び前記第２の操作方法が前記操作手段の何れかの操作であることを特徴とする画像処理装置を提供することが可能となる。
【００４８】
第９に、撮像した静止画像及び或いは動画像を記録媒体に記録及び再生表示する画像処理装置であって、撮像手段と、照明機能を備えない第１の表示手段と、照明機能を備える第２の表示手段と、測光手段と、切り替え手段とを有し、前記測光手段により測光した照度から、前記第１の表示手段による撮像に関する表示内容を視認出来ないと判断した場合は、前記切り替え手段により前記第１の表示手段の表示内容を前記第２の表示手段に切り替えて表示することを特徴とする画像処理装置を提供することが可能となる。
【００４９】
第１０に、前記測光手段は、撮像に関する測光情報を前記撮像手段に供給することを特徴とする画像処理装置を提供することが可能となる。
【００５０】
そして、第１１に、撮像手段と、照明機能を備えない第１の表示手段と、照明機能を備える第２の表示手段と、操作手段と、切り替え手段とを有し、撮像した静止画像及び或いは動画像を記録媒体に記録及び再生表示する画像処理装置を制御する制御方法であって、前記第１の表示手段による撮像に関する表示内容を視認出来ない場合は、前記操作手段に指示入力することにより、前記切り替え手段により前記第１の表示手段の表示内容を前記第２の表示手段に切り替えて表示制御可能であることを特徴とする画像処理装置の制御方法を提供することが可能となる。
【００５１】
第１２に、前記指示入力が、通常よりも長い操作時間による操作であることを特徴とする画像処理装置の制御方法を提供することが可能となる。
【００５２】
第１３に、前記通常よりも長い操作時間による操作が、撮像に関する設定操作であることを特徴とする画像処理装置の制御方法を提供することが可能となる。
【００５３】
第１４に、前記操作手段が、前記第１の表示手段の近傍に配置されていることを特徴とする画像処理装置の制御方法を提供することが可能となる。
【００５４】
第１５に、前記操作手段が、測光モード切り替えボタン、単写／連写／セルフタイマー切り替えボタン、ＡＦモード切り替えボタン、ホワイトバランスモード切り替えボタン、ＡＥロックボタン、ＥＦロックボタン、ＡＦ測距点切り替えボタン、内蔵フラッシュポップアップボタン、絞り込みボタンの何れかの単数或いは複数の組み合わせ或いは全ての組み合わせであることを特徴とする画像処理装置の制御方法を提供することが可能となる。
【００５５】
第１６に、撮像手段と、撮像に関する設定を表示する照明機能を備えない第１の表示手段と、第１の表示手段の近傍に位置して撮像に関する設定を行う操作手段と、照明機能を備える第２の表示手段とを有し、撮像した静止画像及び或いは動画像を記録媒体に記録及び再生表示する画像処理装置を制御する制御方法であって、前記操作手段を第１の操作方法により操作した場合は前記第１の表示手段により撮像に関する設定表示を行い、前記操作手段を第２の操作方法により操作した場合は前記第２の表示手段により撮像に関する設定表示を行うことを特徴とする画像処理装置の制御方法を提供することが可能となる。
【００５６】
第１７に、前記第１の操作方法が短い操作時間による操作であり、前記第２の操作方法が長い操作時間による操作であることを特徴とする画像処理装置の制御方法を提供することが可能となる。
【００５７】
第１８に、前記操作手段が、測光モード切り替えボタン、単写／連写／セルフタイマー切り替えボタン、ＡＦモード切り替えボタン、ホワイトバランスモード切り替えボタン、ＡＥロックボタン、ＥＦロックボタン、ＡＦ測距点切り替えボタン、内蔵フラッシュポップアップボタン、絞り込みボタンの何れかの単数或いは複数の組み合わせ或いは全ての組み合わせであり、前記第１の操作方法及び前記第２の操作方法が前記操作手段の何れかの操作であることを特徴とする画像処理装置の制御方法を提供することが可能となる。
【００５８】
第１９に、撮像手段と、照明機能を備えない第１の表示手段と、照明機能を備える第２の表示手段と、測光手段と、切り替え手段とを有し、撮像した静止画像及び或いは動画像を記録媒体に記録及び再生表示する画像処理装置であって、前記測光手段により測光した照度から、前記第１の表示手段による撮像に関する表示内容を視認出来ないと判断した場合は、前記切り替え手段により前記第１の表示手段の表示内容を前記第２の表示手段に切り替えて表示することを特徴とする画像処理装置の制御方法を提供することが可能となる。
【００５９】
第２０に、前記測光手段は、撮像に関する測光情報を前記撮像手段に供給することを特徴とする画像処理装置の制御方法を提供することが可能となる。
【００６０】
そして、第２１に、撮像手段と、照明機能を備えない第１の表示手段と、照明機能を備える第２の表示手段と、操作手段と、切り替え手段とを有し、撮像した静止画像及び或いは動画像を記録媒体に記録及び再生表示する画像処理装置を制御する制御プログラムを格納した記憶媒体であって前記第１の表示手段による撮像に関する表示内容を視認出来ない場合は、前記操作手段に指示入力することにより、前記切り替え手段により前記第１の表示手段の表示内容を前記第２の表示手段に切り替えて表示制御を行う工程のコードを具備することを特徴とする記憶媒体を提供することが可能となる。
【００６１】
第２２に、前記指示入力が、通常よりも長い操作時間による操作であることを特徴とする記憶媒体を提供することが可能となる。
【００６２】
第２３に、前記通常よりも長い操作時間による操作が、撮像に関する設定操作であることを特徴とする記憶媒体を提供することが可能となる。
【００６３】
第２４に、前記操作手段が、前記第１の表示手段の近傍に配置されていることを特徴とする記憶媒体を提供することが可能となる。
【００６４】
第２５に、前記操作手段が、測光モード切り替えボタン、単写／連写／セルフタイマー切り替えボタン、ＡＦモード切り替えボタン、ホワイトバランスモード切り替えボタン、ＡＥロックボタン、ＥＦロックボタン、ＡＦ測距点切り替えボタン、内蔵フラッシュポップアップボタン、絞り込みボタンの何れかの単数或いは複数の組み合わせ或いは全ての組み合わせであることを特徴とする記憶媒体を提供することが可能となる。
【００６５】
第２６に、撮像手段と、撮像に関する設定を表示する照明機能を備えない第１の表示手段と、第１の表示手段の近傍に位置して撮像に関する設定を行う操作手段と、照明機能を備える第２の表示手段とを有し、撮像した静止画像及び或いは動画像を記録媒体に記録及び再生表示する画像処理装置を制御する制御プログラムを格納した記憶媒体であって前記操作手段を第１の操作方法により操作した場合は前記第１の表示手段により撮像に関する設定表示を行い、前記操作手段を第２の操作方法により操作した場合は前記第２の表示手段により撮像に関する設定表示を行う工程のコードを具備することを特徴とする記憶媒体を提供することが可能となる。
【００６６】
第２７に、前記第１の操作方法が短い操作時間による操作であり、前記第２の操作方法が長い操作時間による操作であることを特徴とする記憶媒体を提供することが可能となる。
【００６７】
第２８に、前記操作手段が、測光モード切り替えボタン、単写／連写／セルフタイマー切り替えボタン、ＡＦモード切り替えボタン、ホワイトバランスモード切り替えボタン、ＡＥロックボタン、ＥＦロックボタン、ＡＦ測距点切り替えボタン、内蔵フラッシュポップアップボタン、絞り込みボタンの何れかの単数或いは複数の組み合わせ或いは全ての組み合わせであり、前記第１の操作方法及び前記第２の操作方法が前記操作手段の何れかの操作であることを特徴とする記憶媒体を提供することが可能となる。
【００６８】
第２９に、撮像手段と、照明機能を備えない第１の表示手段と、照明機能を備える第２の表示手段と、測光手段と、切り替え手段とを有し、撮像した静止画像及び或いは動画像を記録媒体に記録及び再生表示する画像処理装置を制御する制御プログラムを格納した記憶媒体であって前記測光手段により測光した照度から、前記第１の表示手段による撮像に関する表示内容を視認出来ないと判断した場合は、前記切り替え手段により前記第１の表示手段の表示内容を前記第２の表示手段に切り替えて表示する工程のコードを具備することを特徴とする記憶媒体を提供することが可能となる。
【００６９】
第３０に、前記測光手段は、撮像に関する測光情報を前記撮像手段に供給することを特徴とする記憶媒体を提供することが可能となる。
【００７０】
上記手段により、低消費電力の反射型ＬＣＤパネルは照明手段を備えない構成であるため、夜間等の暗い状況においては、電子カメラの設定状態を確認することが難しいという問題の無い画像処理装置及び画像処理装置制御方法を提供することが可能となる。
【００７１】
また、照明手段であるバックライトを備えた透過型カラー液晶パネルは電力消費量が多いため、常時表示して使用することが難しく、消灯している際には素早い設定切り替え操作を行うことが出来ないため不便であるという問題の無い画像処理装置及び画像処理装置制御方法を提供することが可能となる。
【００７２】
さらに、反射型ＬＣＤパネルに別途照明手段を備える構成とする方法もあるが、この場合は、コスト追加と新たな実装スペースを必要とするため、低価格化や小型化を実現する際に障害となるという問題の無い画像処理装置及び画像処理装置制御方法を提供することが可能となる。
【発明を実施するための最良の形態】
【００７３】
（第１の実施例）
以下、図面を参照して本発明の実施例を説明する。
【００７４】
図１は、本発明の実施例の構成を示す図である。
【００７５】
図１において、１００は画像処理装置である。
【００７６】
１２は撮像素子１４への露光量を制御するためのシャッター、１４は光学像を電気信号に変換する撮像素子である。
【００７７】
レンズ３１０に入射した光線は、一眼レフ方式によって、絞り３１２、レンズマウント３０６及び１０６、ミラー１３０、シャッター１２を介して導き、光学像として撮像素子１４上に結像することが出来る。
【００７８】
１６は撮像素子１４のアナログ信号出力をディジタル信号に変換するＡ／Ｄ変換器である。
【００７９】
１８は撮像素子１４、Ａ／Ｄ変換器１６、Ｄ／Ａ変換器２６にクロック信号や制御信号を供給するタイミング発生回路であり、メモリ制御回路２２及びシステム制御回路５０により制御される。
【００８０】
２０は画像処理回路であり、Ａ／Ｄ変換器１６からのデータ或いはメモリ制御回路２２からのデータに対して所定の画素補間処理や色変換処理を行う。
【００８１】
また、画像処理回路２０においては、必要に応じて、撮像した画像データを用いて所定の演算処理を行い、得られた演算結果に基づいてシステム制御回路５０が露光制御手段４０、測距制御手段４２に対して制御を行う、ＴＴＬ（スルー・ザ・レンズ）方式のＡＦ（オートフォーカス）処理、ＡＥ（自動露出）処理、ＥＦ（フラッシュ調光）処理を行うことが出来る。
【００８２】
さらに、画像処理回路２０においては、撮像した画像データを用いて所定の演算処理を行い、得られた演算結果に基づいてＴＴＬ方式のＡＷＢ（オートホワイトバランス）処理を行っている。
【００８３】
なお、本実施例においては、測距手段４２及び測光手段４６を専用に備える構成としたため、測距手段４２及び測光手段４６を用いてＡＦ（オートフォーカス）処理、ＡＥ（自動露出）処理、ＥＦ（フラッシュ調光）処理の各処理を行い、上記画像処理回路２０を用いたＡＦ（オートフォーカス）処理、ＡＥ（自動露出）処理、ＥＦ（フラッシュ調光）処理の各処理を行わない構成としても良い。
【００８４】
或いは、測距手段４２及び測光手段４６を用いてＡＦ（オートフォーカス）処理、ＡＥ（自動露出）処理、ＥＦ（フラッシュ調光）処理の各処理を行い、さらに、上記画像処理回路２０を用いたＡＦ（オートフォーカス）処理、ＡＥ（自動露出）処理、ＥＦ（フラッシュ調光）処理の各処理を行う構成としても良い。
【００８５】
２２はメモリ制御回路であり、Ａ／Ｄ変換器１６、タイミング発生回路１８、画像処理回路２０、画像表示メモリ２４、Ｄ／Ａ変換器２６、メモリ３０、圧縮・伸長回路３２を制御する。
【００８６】
Ａ／Ｄ変換器１６のデータが画像処理回路２０、メモリ制御回路２２を介して、或いはＡ／Ｄ変換器１６のデータが直接メモリ制御回路２２を介して、画像表示メモリ２４或いはメモリ３０に書き込まれる。
【００８７】
２４は画像表示メモリ、２６はＤ／Ａ変換器、２８はＴＦＴ  ＬＣＤ等から成る画像表示部であり、画像表示メモリ２４に書き込まれた表示用の画像データはＤ／Ａ変換器２６を介して画像表示部２８により表示される。
【００８８】
画像表示部２８を用いて撮像した画像データを逐次表示すれば、電子ファインダ機能を実現することが可能である。
【００８９】
また、画像表示部２８は、システム制御回路５０の指示により任意に表示をＯＮ／ＯＦＦすることが可能であり、表示をＯＦＦにした場合には画像処理装置１００の電力消費を大幅に低減することが出来る。
【００９０】
３０は撮影した静止画像や動画像を格納するためのメモリであり、所定枚数の静止画像や所定時間の動画像を格納するのに十分な記憶量を備えている。
【００９１】
これにより、複数枚の静止画像を連続して撮影する連射撮影やパノラマ撮影の場合にも、高速かつ大量の画像書き込みをメモリ３０に対して行うことが可能となる。
【００９２】
また、メモリ３０はシステム制御回路５０の作業領域としても使用することが可能である。
【００９３】
３２は適応離散コサイン変換（ＡＤＣＴ）等により画像データを圧縮伸長する圧縮・伸長回路であり、メモリ３０に格納された画像を読み込んで圧縮処理或いは伸長処理を行い、処理を終えたデータをメモリ３０に書き込む。
【００９４】
４０は測光手段４６からの測光情報に基づいて、絞り３１２を制御する絞り制御手段３４０と連携しながら、シャッター１２を制御するシャッター制御手段である。
【００９５】
４２はＡＦ（オートフォーカス）処理を行うための測距手段であり、レンズ３１０に入射した光線を、一眼レフ方式によって、絞り３１２、レンズマウント３０６及び１０６、ミラー１３０そして不図示の測距用サブミラーを介して、測距手段４２に入射させることにより、光学像として結像された画像の合焦状態を測定することが出来る。
【００９６】
４６はＡＥ（自動露出）処理を行うための測光手段であり、レンズ３１０に入射した光線を、一眼レフ方式によって、絞り３１２、レンズマウント３０６及び１０６、ミラー１３０及び１３２そして不図示の測光用レンズを介して、測光手段４６に入射させることにより、光学像として結像された画像の露出状態を測定することが出来る。
【００９７】
また、測光手段４６は、フラッシュ４８と連携することによりＥＦ（フラッシュ調光）処理機能も有するものである。
【００９８】
４８はフラッシュであり、ＡＦ補助光の投光機能、フラッシュ調光機能も有する。なお、撮像素子１４によって撮像した画像データを画像処理回路２０によって演算した演算結果に基づき、システム制御回路５０がシャッター制御手段４０、絞り制御手段３４０、測距制御手段３４２に対して制御を行う、ビデオＴＴＬ方式を用いて露出制御及びＡＦ（オートフォーカス）制御をすることも可能である。
【００９９】
さらに、測距手段４２による測定結果と、撮像素子１４によって撮像した画像データを画像処理回路２０によって演算した演算結果とを共に用いてＡＦ（オートフォーカス）制御を行っても構わない。
【０１００】
そして、測光手段４６による測定結果と、撮像素子１４によって撮像した画像データを画像処理回路２０によって演算した演算結果とを共に用いて露出制御を行っても構わない。
【０１０１】
５０は画像処理装置１００全体を制御するシステム制御回路、５２はシステム制御回路５０の動作用の定数、変数、プログラム等を記憶するメモリである。
【０１０２】
５４はシステム制御回路５０でのプログラムの実行に応じて、文字、画像、音声等を用いて動作状態やメッセージ等を表示する液晶表示装置、スピーカー等の表示部であり、画像処理装置１００の操作部近辺の視認し易い位置に単数或いは複数個所設置され、例えばＬＣＤやＬＥＤ、発音素子等の組み合わせにより構成されている。
【０１０３】
また、表示部５４は、その一部の機能が光学ファインダ１０４内に設置されている。
【０１０４】
表示部５４の表示内容のうち、ＬＣＤ等に表示するものとしては、例えば、シングルショット／連写撮影表示、セルフタイマー表示、圧縮率表示、記録画素数表示、記録枚数表示、残撮影可能枚数表示、シャッタースピード表示、絞り値表示、露出補正表示、フラッシュ表示、赤目緩和表示、マクロ撮影表示、ブザー設定表示、時計用電池残量表示、電池残量表示、エラー表示、複数桁の数字による情報表示、記録媒体２００及び２１０の着脱状態表示、レンズユニット３００の着脱状態表示、通信Ｉ／Ｆ動作表示、日付け・時刻表示、外部コンピュータとの接続状態を示す表示、等がある。
【０１０５】
また、表示部５４の表示内容のうち、光学ファインダ１０４内に表示するものとしては、例えば、合焦表示、撮影準備完了表示、手振れ警告表示、フラッシュ充電表示、フラッシュ充電完了表示、シャッタースピード表示、絞り値表示、露出補正表示、記録媒体書き込み動作表示、等がある。
【０１０６】
さらに、表示部５４の表示内容のうち、ＬＥＤ等に表示するものとしては、例えば、合焦表示、撮影準備完了表示、手振れ警告表示、手振れ警告表示、フラッシュ充電表示、フラッシュ充電完了表示、記録媒体書き込み動作表示、マクロ撮影設定通知表示、二次電池充電状態表示、等がある。
【０１０７】
そして、表示部５４の表示内容のうち、ランプ等に表示するものとしては、例えば、セルフタイマー通知ランプ、等がある。このセルフタイマー通知ランプは、ＡＦ補助光と共用して用いても良い。
【０１０８】
５６は電気的に消去・記録可能な不揮発性メモリであり、例えばＥＥＰＲＯＭ等が用いられる。
【０１０９】
６０，６２，６４，６６，６８及び７０は、システム制御回路５０の各種の動作指示を入力するための操作手段であり、スイッチやダイアル、タッチパネル、視線検知によるポインティング、音声認識装置等の単数或いは複数の組み合わせで構成される。
【０１１０】
ここで、これらの操作手段の具体的な説明を行う。
【０１１１】
６０はモードダイアルスイッチで、自動撮影モード、プログラム撮影モード、シャッター速度優先撮影モード、絞り優先撮影モード、マニュアル撮影モード、焦点深度優先（デプス）撮影モード、ポートレート撮影モード、風景撮影モード、接写撮影モード、スポーツ撮影モード、夜景撮影モード、パノラマ撮影モード等の各機能撮影モードを切り替え設定することが出来る。
【０１１２】
６２はシャッタースイッチＳＷ１で、不図示のシャッターボタンの操作途中でＯＮとなり、ＡＦ（オートフォーカス）処理、ＡＥ（自動露出）処理、ＡＷＢ（オートホワイトバランス）処理、ＥＦ（フラッシュ調光）処理等の動作開始を指示する。
【０１１３】
６４はシャッタースイッチＳＷ２で、不図示のシャッターボタンの操作完了でＯＮとなり、撮像素子１２から読み出した信号Ａ／Ｄ変換器１６、メモリ制御回路２２を介してメモリ３０に画像データを書き込む露光処理、画像処理回路２０やメモリ制御回路２２での演算を用いた現像処理、メモリ３０から画像データを読み出し、圧縮・伸長回路３２で圧縮を行い、記録媒体２００或いは２１０に画像データを書き込む記録処理という一連の処理の動作開始を指示する。
【０１１４】
６６は再生スイッチで、撮影モード状態において、撮影した画像をメモリ３０或いは記録媒体２００或いは２１０から読み出して画像表示部２８によって表示する再生動作の開始を指示する。
【０１１５】
６８はメニュースイッチで、各種メニュー機能を設定する。
【０１１６】
７０は各種ボタンやタッチパネル等からなる操作部で、セットボタン、マクロボタン、マルチ画面再生改ページボタン、メニュー移動＋（プラス）ボタン、メニュー移動−（マイナス）ボタン、再生画像移動＋（プラス）ボタン、再生画像−（マイナス）ボタン、撮影画質選択ボタン、日付／時間設定ボタン、パノラマモード等の撮影及び再生を実行する際に各種機能の選択及び切り替えを設定する選択／切り替えボタン、パノラマモード等の撮影及び再生を実行する際に各種機能の決定及び実行を設定する決定／実行ボタン、画像表示部２８のＯＮ／ＯＦＦを設定する画像表示ＯＮ／ＯＦＦスイッチ、ＪＰＥＧ圧縮の圧縮率を選択するため或いは撮像素子の信号をそのままディジタル化して記録媒体に記録するＣＣＤＲＡＷモードを選択するためのスイッチである圧縮モードスイッチ、再生モード、マルチ画面再生・消去モード、ＰＣ接続モード等の各機能モードを設定することが出来る再生スイッチ、撮影直後に撮影した画像データを自動再生するクイックレビュー機能を設定するクイックレビュー設定スイッチ等がある。
【０１１７】
また、上記プラスボタン及びマイナスボタンの各機能は、回転ダイアルスイッチを備えることによって、より軽快に数値や機能を選択することが可能となる。
【０１１８】
７２は電源スイッチで、画像処理装置１００の電源オン、電源オフの各モードを切り替え設定することが出来る。また、画像処理装置１００に接続されたレンズユニット３００、外部ストロボ、記録媒体２００，２１０等の各種付属装置の電源オン、電源オフの設定も合わせて切り替え設定することが出来る。
【０１１９】
７４は撮影系スイッチで、測光モード切り替えボタン、単写／連写／セルフタイマー切り替えボタン、ＡＦモード切り替えボタン、ホワイトバランスモード切り替えボタン、ＡＥロックボタン、ＥＦロックボタン、ＡＦ測距点切り替えボタン、内蔵フラッシポップアップボタン、絞り込みボタン等がある。
【０１２０】
８０は電源制御手段で、電池検出回路、ＤＣ−ＤＣコンバータ、通電するブロックを切り替えるスイッチ回路等により構成されており、電池の装着の有無、電池の種類、電池残量の検出を行い、検出結果及びシステム制御回路５０の指示に基づいてＤＣ−ＤＣコンバータを制御し、必要な電圧を必要な期間、記録媒体を含む各部へ供給する。
【０１２１】
８２はコネクタ、８４はコネクタ、８６はアルカリ電池やリチウム電池等の一次電池やＮｉＣｄ電池やＮｉＭＨ電池、Ｌｉ電池等の二次電池、ＡＣアダプター等からなる電源手段である。
【０１２２】
９０及び９４はメモリカードやハードディスク等の記録媒体とのインタフェース、９２及び９６はメモリカードやハードディスク等の記録媒体と接続を行うコネクタ、９８はコネクタ９２及び或いは９６に記録媒体２００或いは２１０が装着されているか否かを検知する記録媒体着脱検知手段である。
【０１２３】
なお、本実施例では記録媒体を取り付けるインタフェース及びコネクタ２系統持つものとして説明している。もちろん、記録媒体を取り付けるインタフェース及びコネクタは、単数或いは複数、いずれの系統数を備える構成としても構わない。また、異なる規格のインタフェース及びコネクタを組み合わせて備える構成としても構わない。インタフェース及びコネクタとしては、ＰＣＭＣＩＡカードやＣＦ（コンパクトフラッシュ（登録商標））カード等の規格に準拠したものを用いて構成して構わない。
【０１２４】
さらに、インタフェース９０及び９４、そしてコネクタ９２及び９６をＰＣＭＣＩＡカードやＣＦ（コンパクトフラッシュ（登録商標））カード等の規格に準拠したものを用いて構成した場合、ＬＡＮカードやモデムカード、ＵＳＢカード、ＩＥＥＥ１３９４カード、Ｐ１２８４カード、ＳＣＳＩカード、ＰＨＳ等の通信カード、等の各種通信カードを接続することにより、他のコンピュータやプリンタ等の周辺機器との間で画像データや画像データに付属した管理情報を転送し合うことが出来る。
【０１２５】
１０４は光学ファインダであり、レンズ３１０に入射した光線を、一眼レフ方式によって、絞り３１２、レンズマウント３０６及び１０６、ミラー１３０及び１３２を介して導き、光学像として結像表示することが出来る。これにより、画像表示部２８による電子ファインダ機能を使用すること無しに、光学ファインダ１０４のみを用いて撮影を行うことが可能である。また、光学ファインダ１０４内には、表示部５４の一部の機能、例えば、合焦表示、手振れ警告表示、フラッシュ充電表示、シャッタースピード表示、絞り値表示、露出補正表示などが設置されている。
【０１２６】
１１０は通信手段で、ＲＳ  ３  ３２ＣやＵＳＢ、ＩＥＥＥ１３９４、Ｐ１２８４、ＳＣＳＩ、モデム、ＬＡＮ、無線通信、等の各種通信機能を有する。
【０１２７】
１１２は通信手段１１０により画像処理装置１００を他の機器と接続するコネクタ或いは無線通信の場合はアンテナである。
【０１２８】
１２０は、レンズマウント１０６内において、画像処理装置１００をレンズユニット３００と接続するためのインタフェース、１２２は画像処理装置１００をレンズユニット３００と電気的に接続するコネクタ、１２４はレンズマウント１０６及び或いはコネクタ１２２にレンズユニット３００が装着されているか否かを検知するレンズ着脱検知手段である。
【０１２９】
コネクタ１２２は、画像処理装置１００とレンズユニット３００との間で制御信号、状態信号、データ信号等を伝え合うと共に、各種電圧の電流を供給する機能も備えている。また、コネクタ１２２は電気通信のみならず、光通信、音声通信等を伝達する構成としても良い。
【０１３０】
１３０，１３２はミラーで、レンズ３１０に入射した光線を、一眼レフ方式によって光学ファインダ１０４に導くことが出来る。なお、ミラー１３２は、クイックリターンミラーの構成としても、ハーフミラーの構成としても、どちらでも構わない。
【０１３１】
２００はメモリカードやハードディスク等の記録媒体である。
【０１３２】
記録媒体２００は、半導体メモリや磁気ディスク等から構成される記録部２０２、画像処理装置１００とのインタフェース２０４、画像処理装置１００と接続を行うコネクタ２０６を備えている。
【０１３３】
２１０はメモリカードやハードディスク等の記録媒体である。
【０１３４】
記録媒体２１０は、半導体メモリや磁気ディスク等から構成される記録部２１２、画像処理装置１００とのインタフェース２１４、画像処理装置１００と接続を行うコネクタ２１６を備えている。
【０１３５】
３００は交換レンズタイプのレンズユニットである。
【０１３６】
３０６は、レンズユニット３００を画像処理装置１００と機械的に結合するレンズマウントである。レンズマウント３０６内には、レンズユニット３００を画像処理装置１００と電気的に接続する各種機能が含まれている。
【０１３７】
３１０は撮影レンズ、３１２は絞りである。
【０１３８】
３２０は、レンズマウント３０６内において、レンズユニット３００を画像処理装置１００と接続するためのインタフェース、３２２はレンズユニット３００を画像処理装置１００と電気的に接続するコネクタである。
【０１３９】
コネクタ３２２は、画像処理装置１００とレンズユニット３００との間で制御信号、状態信号、データ信号等を伝え合うと共に、各種電圧の電流を供給される或いは供給する機能も備えている。また、コネクタ３２２は電気通信のみならず、光通信、音声通信等を伝達する構成としても良い。
【０１４０】
３４０は測光手段４６からの測光情報に基づいて、シャッター１２を制御するシャッター制御手段４０と連携しながら、絞り３１２を制御する絞り制御手段である。
【０１４１】
３４２は撮影レンズ３１０のフォーカシングを制御する測距制御手段、３４４は撮影レンズ３１０のズーミングを制御するズーム制御手段である。
【０１４２】
３５０はレンズユニット３００全体を制御するレンズシステム制御回路である。レンズシステム制御回路３５０は、動作用の定数、変数、プログラム等を記憶するメモリやレンズユニット３００固有の番号等の識別情報、管理情報、開放絞り値や最小絞り値、焦点距離等の機能情報、現在や過去の各設定値などを保持する不揮発メモリの機能も備えている。
【０１４３】
図２乃至１２を参照して、本発明の実施例の動作を説明する。
【０１４４】
図２乃至７は第１の実施例の画像処理装置１００の主ルーチンのフローチャートを示す。
【０１４５】
図２乃至７を用いて、画像処理装置１００の動作を説明する。
【０１４６】
電池交換等の電源投入により、システム制御回路５０はフラグや制御変数等を初期化し（Ｓ１０１）、画像表示部２８の画像表示をＯＦＦ状態に初期設定する（Ｓ１０２）。
【０１４７】
システム制御回路５０は、電源スイッチ６６の設定位置を判断し、電源スイッチ６６が電源ＯＦＦに設定されていたならば（Ｓ１０３）、各表示部の表示を終了状態に変更し、フラグや制御変数等を含む必要なパラメータや設備値、設定モードを不揮発性メモリ５６に記録し、電源制御手段８０により画像表示部２８を含む画像処理装置１００各部の不要な電源を遮断する等の所定の終了処理を行った後（Ｓ１０４）、Ｓ１０３に戻る。
【０１４８】
電源スイッチ６６が電源ＯＮに設定されていたならば（Ｓ１０３）、システム制御回路５０は、電源制御手段８０により電池等により構成される電源８６の残容量や動作情況が画像処理装置１００の動作に問題があるか否かを判断し（Ｓ１０５）、問題があるならば表示部５４を用いて画像や音声により所定の警告表示を行った後に（Ｓ１０７）、Ｓ１０３に戻る。
【０１４９】
電源８６に問題が無いならば（Ｓ１０５）、システム制御回路５０は、記録媒体２００或いは２１０が装着されているかどうかの判断、記録媒体２００或いは２１０に記録された画像データの管理情報の取得、そして、記録媒体２００或いは２１０の動作状態が画像処理装置１００の動作、特に記録媒体に対する画像データの記録再生動作に問題があるか否かの判断を行い（Ｓ１０６）、問題があるならば表示部５４を用いて画像や音声により所定の警告表示を行った後に（Ｓ１０７）、Ｓ１０３に戻る。
【０１５０】
記録媒体２００或いは２１０が装着されているかどうかの判断、記録媒体２００或いは２１０に記録された画像データの管理情報の取得、そして、記録媒体２００或いは２１０の動作状態が画像処理装置１００の動作、特に記録媒体に対する画像データの記録再生動作に問題があるか否かの判断を行った結果（Ｓ１０６）、問題が無ければ、Ｓ１０８に進む。
【０１５１】
なお、Ｓ１０６においては、システム制御回路５０は、記録媒体２００或いは２１０に記録された画像データの最終記録番号Ｎｍａｘの取得も行う。
【０１５２】
最終記録番号Ｎｍａｘは、記録媒体２００或いは２１０より、コネクタ９２或いは９６、インタフェース９０或いは９４を介して読み出され、システム制御回路５０の内部メモリ或いはメモリ５２に記憶される。
【０１５３】
システム制御回路５０は、撮影系スイッチの何れかが押し下げ状態か否かを判断する（Ｓ１０８）。
【０１５４】
撮影系スイッチの何れも押し下げ状態では無いならば（Ｓ１０８）、Ｓ１１７に進む。
【０１５５】
撮影系スイッチの何れかが押し下げ状態ならば（Ｓ１０８）、押し下げられたスイッチのイベントをシステム制御回路５０の内部メモリ或いはメモリ５２に記憶した後に、所定時間が経過するまで（Ｓ１０９）、システム制御回路５０は引き続き撮影系スイッチの何れかの押し下げ状態を判断し続ける（Ｓ１１０）。
【０１５６】
押し下げられていた撮影系スイッチの何れかが、所定時間経過する前に（Ｓ１０９）、押し下げ状態で無くなったならば（Ｓ１１０）、Ｓ１１１に進む。
【０１５７】
システム制御回路５０は、表示手段５４による表示を用いた設定を実行した後（Ｓ１１１）、システム制御回路５０の内部メモリ或いはメモリ５２に記憶された押し下げられたスイッチのイベントを破棄した後、Ｓ１１７に進む。
【０１５８】
この表示手段５４による処理Ｓ１１１の詳細は図１１を用いて後述する。
【０１５９】
このように、撮影系のスイッチの何れかが、通常使用するように短時間押されたならば、操作し易いように、撮影系スイッチの近傍に設置されたＬＣＤ等からなる表示手段５４により、設定表示を行うことにより、操作性の良いモード設定を行うことが可能となる。
【０１６０】
撮影系スイッチの何れかが押し下げ状態のまま（Ｓ１１０）、所定時間が経過したならば（Ｓ１０９）、Ｓ１１２に進む。
【０１６１】
システム制御回路５０は、表示手段５４の表示を非表示状態に設定した後に（Ｓ１１２）、画像表示手段２８の画像表示をＯＮ状態に設定する（Ｓ１１３）。
【０１６２】
なお、Ｓ１１３においては、画像表示手段２８のバックライトも同時に点灯する。
【０１６３】
システム制御回路５０は、画像表示手段２８による表示を用いた設定を実行する（Ｓ１１４）。
【０１６４】
この画像表示手段２８による処理Ｓ１１４の詳細は図１２を用いて後述する。
【０１６５】
このように、撮影系のスイッチの何れかが所定時間以上押されたならば、照明手段を備えない表示手段５４に代わって、バックライト照明を備えたＴＦＴ等からなる画像表示手段２８により設定表示を行うことにより、夜間などの暗い状態でも操作性の良いモード設定を行うことが可能となる。
【０１６６】
システム制御回路５０は、画像表示手段２８の画像表示をＯＦＦ状態に設定した後に（Ｓ１１５）、表示手段５４の表示を表示状態に設定し（Ｓ１１６）、システム制御回路５０の内部メモリ或いはメモリ５２に記憶された押し下げられたスイッチのイベントを破棄してから、Ｓ１１７に進む。
【０１６７】
なお、Ｓ１１５においては、画像表示手段２８のバックライトも同時に消灯する。
【０１６８】
システム制御回路５０は表示部５４を用いて画像や音声により画像処理装置１００の各種設定状態の表示を行い（Ｓ１１７）、Ｓ１２１に進む。
【０１６９】
なお、画像表示部２８の画像表示がＯＮであったならば、画像表示部２８も用いて画像や音声により画像処理装置１００の各種設定状態の表示を行う。
【０１７０】
既に一連の撮影及び記録シーケンスが実行され、記録媒体２００或いは２１０に撮影した画像データの記録を行っている途中の状態であった場合、記録媒体２００或いは２１０への新たな画像データの記録が終了したならば（Ｓ１２１）、システム制御回路５０は最終記録番号Ｎｍａｘを更新して（Ｓ１２２）、Ｓ１２３に進む。
【０１７１】
記録媒体２００或いは２１０への新たな画像データの記録が行われていない、或いは、行われていてもその画像データの記録がまだ終了していないならば（Ｓ１２１）、Ｓ１２３に進む。
【０１７２】
これにより、連写撮影後に順次画像データを記録媒体２００或いは２１０に記録している途中であった場合でも、画像データが新たに記録終了する度に、最終記録番号Ｎｍａｘを更新することが可能となる。
【０１７３】
システム制御回路５０は、再生スイッチ６６がＯＮ／ＯＦＦ何れに設定されているかどうかを判断する（Ｓ１２３）。
【０１７４】
再生スイッチ６６がＯＦＦに設定されていたならば（Ｓ１２３）、Ｓ１２９に進む。
【０１７５】
このように、再生スイッチ６６がＯＦＦであれば、撮影モードでの一連の動作を実行している状態であるか、或いは、再生モードでの一連の動作を既に実行している状態の何れかであると判断して、Ｓ１２４以降の処理を行わずにＳ１２９に進むことになる。なお、既に再生モードを実行しているかどうかは、後述するように、再生モードフラグを用いて判断することが出来る。
【０１７６】
再生スイッチ６６がＯＮに設定されていたならば（Ｓ１２３）、システム制御回路５０は再生モードフラグの状態を判断する（Ｓ１２４）。
【０１７７】
再生モードフラグが設定されていたならば、つまり、既に再生モードを実行する状態にあると判断されるならば（Ｓ１２４）、システム制御回路５０は最終記録番号Ｎｍａｘが更新されたかどうかを判断し（Ｓ１２８）、更新されていたならばＳ１２８に進み、更新されていないならばＳ１２９に進む。
【０１７８】
このように、再生スイッチ６６がＯＮであっても、再生モードフラグが既に設定されていたならば、再生モードでの一連の動作を既に実行している状態にあると判断して、Ｓ１２５からＳ１２７の処理を行わずにＳ１２８に進むことになる。
【０１７９】
再生モードフラグが解除されていたならば、つまり、新たに再生モードを実行する状態であると判断されるならば（Ｓ１２４）、システム制御回路５０は再生モードフラグを設定し（Ｓ１２５）、Ｓ１２６に進む。
【０１８０】
なお、再生モードフラグの状態は、システム制御回路５０の内部メモリ或いはメモリ５２に記憶する。
【０１８１】
このように、再生スイッチ６６がＯＮの時に、再生モードフラグが解除されていたならば、現在は撮影モードを実行中であるが、ＳＷ１及び或いはＳＷ２が押されていない状態であるため、撮影動作は実行していない状態にあると判断できる。そして、撮影モードでの一連の動作を一時休止して、記録媒体２００或いは２１０に記録した画像データの再生を行う再生モードでの一連の動作を開始することになる。
【０１８２】
続いて、システム制御回路５０は、再生モードを実行するのに必要な所定の設定を行った後（Ｓ１２６）、Ｓ１０６において読み出されてシステム制御回路５０の内部メモリ或いはメモリ５２に記憶された最終記録番号Ｎｍａｘを読み出し（Ｓ１２７）、Ｓ１２８に進む。
【０１８３】
そして、システム制御回路５０は、再生画像番号ＮをＮ＝Ｎｍａｘと設定して（Ｓ１２８）、Ｓ１２９に進む。
【０１８４】
なお、再生画像番号Ｎは、システム制御回路５０の内部メモリ或いはメモリ５２に記憶される。
【０１８５】
これにより、再生モードを実行した直後に、画像選択キーを用いて画像選択を行わなくても、最後に記録媒体２００或いは２１０に記録した画像データを読み出して表示することが可能となり、利用者にとって便利である。
【０１８６】
また、最終記録番号Ｎｍａｘが更新されていたならば、それに応じて新たに再生画像番号ＮをＮ＝Ｎｍａｘと設定することにより、連写撮影後に順次画像データを記録媒体２００或いは２１０に記録している途中で再生スイッチが押された場合でも、新たな画像データの記録が終了する度に、順次再生画像番号Ｎを更新して再生表示画像を切り替えていくことが可能となる。
【０１８７】
システム制御回路５０は、再生モードフラグが設定されていたならば（Ｓ１２９）、Ｓ２０１に進む。
【０１８８】
これは、撮影モードでの一連の動作を一時休止して、撮影して記録媒体２００或いは２１０に記録した画像データの再生を行う再生モードでの一連の動作を開始する状態であるか、或いは、既に再生モードでの一連の動作を実行している状態の何れかが該当する。
【０１８９】
再生モードフラグが解除されていたならば（Ｓ１２９）、Ｓ１３１に進む。
【０１９０】
こちらは、撮影モードでの一連の動作を実行している状態が該当する。
【０１９１】
システム制御回路５０は、メニュースイッチ６８が設定されていたならば（Ｓ１３１）、Ｓ１８１に進む。
【０１９２】
メニュースイッチ６８が設定されていないならば（Ｓ１３１）、Ｓ１４１に進む。
【０１９３】
シャッタースイッチＳＷ１が押されていないならば（Ｓ１４１）、Ｓ１０３に戻る。
【０１９４】
シャッタースイッチＳＷ１が押されていないならば（Ｓ１４１）、Ｓ１０３に戻る。
【０１９５】
シャッタースイッチＳＷ１が押されたならば（Ｓ１４１）、システム制御回路５０は、測距処理を行って撮影レンズ１０の焦点を被写体にあわせ、測光処理を行って絞り値及びシャッター時間を決定する。測距・測光処理を行い（Ｓ１４２）、Ｓ１４３に進む。測光処理に於いて、必要であればフラッシュの設定も行う。
【０１９６】
この測距・測光処理Ｓ１４２の詳細は図８を用いて後述する。
【０１９７】
シャッタースイッチＳＷ２が押されていないならば、（Ｓ１４３）システム制御回路５０は記録媒体２００或いは２１０への新たな画像データの記録が終了したかどうかを判断する（Ｓ１４４）。
【０１９８】
記録媒体２００或いは２１０への新たな画像データの記録が終了したならば（Ｓ１４４）、システム制御回路５０は最終記録番号Ｎｍａｘを更新して（Ｓ１４５）、Ｓ１４１に戻る。
【０１９９】
記録媒体２００或いは２１０への新たな画像データの記録が行われていない、或いは、行われていてもその画像データの記録がまだ終了していないならば（Ｓ１４４）、Ｓ１４１に戻る。
【０２００】
これにより、連写撮影後に順次画像データを記録媒体２００或いは２１０に記録している途中であった場合でも、画像データが新たに記録終了する度に、最終記録番号Ｎｍａｘを更新することが可能となる。
【０２０１】
シャッタースイッチＳＷ２が押されたならば（Ｓ１４３）、システム制御回路５０はシステム制御回路５０の内部メモリ或いはメモリ５２に記憶されるクイックレビューフラグの状態を判断し（Ｓ１４６）、クイックレビューフラグが設定されていたならば画像表示部２８の表示をＯＦＦ状態に設定して（Ｓ１４7）、Ｓ１４８に進む。
【０２０２】
クイックレビューフラグが解除されていたならば（Ｓ１４６）、Ｓ１４８に進む。
【０２０３】
システム制御回路５０は、撮影した画像データを記憶可能な画像記憶バッファ領域がメモリ３０にあるかどうかを判断し（Ｓ１４８）、メモリ３０の画像記憶バッファ領域内に新たな画像データを記憶可能な領域が無いならば、表示部５４を用いて画像や音声により所定の警告表示を行った後に（Ｓ１４９）、Ｓ１０３に戻る。
【０２０４】
例えば、メモリ３０の画像記憶バッファ領域内に記憶可能な最大枚数の連写撮影を行った直後で、メモリ３０から読み出して記憶媒体２００或いは２１０に書き込むべき最初の画像がまだ記録媒体２００或いは２１０に未記録な状態であり、まだ１枚の空き領域もメモリ３０の画像記憶バッファ領域上に確保出来ない状態である場合等が、この状態の一例である。
【０２０５】
なお、撮影した画像データを圧縮処理してからメモリ３０の画像記憶バッファ領域に記憶する場合は、圧縮した後の画像データ量が圧縮モードの設定に応じて異なることを考慮して、記憶可能な領域がメモリ３０の画像記憶バッファ領域上にあるかどうかをＳ１４８において判断することになる。
【０２０６】
メモリ３０に撮影した画像データを記憶可能な画像記憶バッファ領域があるならば（Ｓ１４８）、システム制御回路５０は、撮像素子１２、Ａ／Ｄ変換器１６、画像処理回路２０、メモリ制御回路２２を介して、或いはＡ／Ｄ変換器から直接メモリ制御回路２２を介して、メモリ３０の所定領域に撮影した画像データを書き込む露光処理、及び、メモリ制御回路２２そして必要に応じて画像処理回路２０を用いて、メモリ３０の所定領域に書き込まれた画像データを読み出して各種処理を行う現像処理からなる撮影処理を実行する（Ｓ１５０）。
【０２０７】
この撮影処理Ｓ１５０の詳細は図９を用いて後述する。
【０２０８】
撮影処理Ｓ１５０を終えたならば、システム制御回路５０は、メモリ３０の所定領域に書き込まれた撮影画像データを読み出して、メモリ制御回路２２そして必要に応じて画像処理回路２０を用いて各種画像処理を、また、圧縮・伸長回路３２を用いて設定したモードに応じた画像圧縮処理を行う圧縮処理を必要に応じて行う（Ｓ１５１）。
【０２０９】
圧縮処理Ｓ１５１を終えたならば、システム制御回路５０は、メモリ３０の画像記憶バッファ領域の空き画像部分に、撮影して一連の処理を終えた画像データの書き込みを行い（Ｓ１５２）、それに応じてメモリ３０の画像記憶バッファ領域に対する画像記憶数Ｍｍａｘを更新する（Ｓ１５３）。
【０２１０】
撮影の実行に伴い、システム制御回路５０は、メモリ３０の画像記憶バッファ領域に記憶した画像データを読み出して、インタフェース９０或いは９４、コネクタ９２或いは９６を介して、メモリカードやコンパクトフラッシュ（登録商標）カード等の記録媒体２００或いは２１０へ書き込みを行う記録処理を開始する（Ｓ１５４）。
【０２１１】
この記録開始処理は、メモリ３０の画像記憶バッファ領域の空き画像部分に、撮影して一連の処理を終えた画像データの書き込みが新たに行われる度に、その画像データに対して実行される。
【０２１２】
なお、記録媒体２００或いは２１０へ画像データの書き込みを行っている間、書き込み動作中であることを明示するために、表示部５４において例えばＬＥＤを点滅させる等の記録媒体書き込み動作表示を行う。
【０２１３】
記録媒体２００或いは２１０への新たな画像データの記録が終了したならば（Ｓ１５５）、システム制御回路５０は最終記録番号Ｎｍａｘを更新して（Ｓ１５６）、Ｓ１６１に進む。
【０２１４】
記録媒体２００或いは２１０への新たな画像データの記録が行われていない、或いは、行われていてもその画像データの記録がまだ終了していないならば（Ｓ１５５）、Ｓ１６１に進む。
【０２１５】
これにより、連写撮影後に順次画像データを記録媒体２００或いは２１０に記録している途中であった場合でも、画像データが新たに記録終了する度に、最終記録番号Ｎｍａｘを更新することが可能となる。
【０２１６】
システム制御回路５０は、システム制御回路５０の内部メモリ或いはメモリ５２に記憶される連写フラグの状態を判断し（Ｓ１６１）、連写フラグが設定されていないならば、Ｓ１６３に進む。
【０２１７】
連写フラグが設定されていたならば（Ｓ１６１）、システム制御回路５０はシャッタースイッチＳＷ２が押されているかどうかを判断する（Ｓ１６２）。
【０２１８】
シャッタースイッチＳＷ２が押された状態であったならば（Ｓ１６２）、連続して撮影を行うためにＳ１４６に戻り、次の撮影を行う。
【０２１９】
シャッタースイッチＳＷ２が放された状態であったならば（Ｓ１６２）、システム制御回路５０はシステム制御回路５０の内部メモリ或いはメモリ５２に記憶されるクイックレビューフラグの状態を判断し（Ｓ２０４）、クイックレビューフラグが解除されていたならば、Ｓ１７１に進む。
【０２２０】
クイックレビューフラグが設定されていたならば（Ｓ１６３）、システム制御回路５０はレビュー画像番号ＭをＭ＝Ｍｍａｘと設定して（Ｓ１６４）、Ｓ１６５に進む。
【０２２１】
システム制御回路５０は、システム制御回路５０の内部メモリ或いはメモリ５２に記憶されたレビュー画像番号Ｍを読み出して、レビュー画像番号Ｍに対応する画像データを選択した後（Ｓ１６５）、選択した画像データをメモリ３０内の画像記憶バッファ領域から読み出し（Ｓ１６６）、読み出した画像データに対する画像伸長処理を画像圧縮・伸長回路３２により行い（Ｓ１６７）、画像伸長処理を行った画像をメモリ３０内の画像記憶バッファ領域に格納する。
【０２２２】
システム制御回路５０は、メモリ３０の画像記憶バッファ領域より画像伸長処理を行って格納した画像データを読み出して、メモリ制御回路２２を介して画像表示メモリ２４に転送する表示画像処理を実行する（Ｓ１６８）。
【０２２３】
システム制御回路５０は、画像表示部２８の画像表示をＯＮ状態に設定し（Ｓ１６９）、Ｓ１６８において転送した表示画像データを、画像表示メモリ２４から読み出してメモリ制御回路２２、Ｄ／Ａ変換器２６を介して画像表示部２８により表示するクイックレビュー表示を行う（Ｓ１７０）。
【０２２４】
このように、本発明によれば、クイックレビュー表示を行う際にメモリ３０の画像記憶バッファ領域に最後に書き込まれた画像データを読み出して表示を行うことが可能であり、メモリ３０の画像記憶バッファ領域から撮影した画像データを読み出して、記録媒体２００或いは２１０へ記録した後に、記録媒体２００或いは２１０から画像データを読み出すという一連の処理が終わるのを待つこと無く、速やかに撮影画像の表示を行うことが出来る。特に、比較的時間のかかる記録媒体２００或いは２１０への記録処理を待つこと無く、クイックレビュー表示を行うことが出来るため、速やかに撮影画像の確認を行うことが出来る。
【０２２５】
Ｓ１７０が終了した際に、シャッタースイッチＳＷ１が押された状態であったならば（Ｓ１７１）、システム制御回路５０はシステム制御回路５０の内部メモリ或いはメモリ５２に記憶される連写フラグの状態を判断し（Ｓ１７２）、連写フラグが設定されていたならば、連続して撮影を行う場合に備え、Ｓ１４３に戻る。
【０２２６】
連写フラグが設定されていないならば（Ｓ１７２）、シャッタースイッチＳＷ１が放されるまで（Ｓ１７１）、現在の処理を繰り返す。
【０２２７】
シャッタースイッチＳＷ１が押されていない状態であったならば（Ｓ１７１）、システム制御回路５０はシステム制御回路５０の内部メモリ或いはメモリ５２に記憶されるクイックレビューフラグの状態を判断し（Ｓ１７３）、クイックレビューフラグが解除されていたならば、Ｓ１０３に戻る。
【０２２８】
クイックレビューフラグが設定されていたならば（Ｓ１７３）、所定のミニマムレビュー時間が経過した後（Ｓ１７４）、システム制御回路５０は、画像表示部２８の表示をＯＦＦ状態に設定して（Ｓ１７５）、一連の撮影動作を終えて、Ｓ１０３に戻る。
【０２２９】
このように、画像表示部２８におけるクイックレビュー表示を所定の時間継続することにより、撮影画像の確認を確実に行うことを可能とすると共に、不必要に長時間クイックレビュー表示を継続して次の撮影チャンスを失うことを防止することが出来る。
【０２３０】
なお、このミニマムレビュー時間は、固定値としても、使用者が任意に設定することが可能としても、さらには所定の範囲内で使用者が任意に設定或いは選択することが可能としても、いずれの方法で設定しても構わない。
【０２３１】
システム制御回路５０は、画像表示手段２８の画像表示をＯＮ状態に設定して（Ｓ１８１）、メニューモード選択画面を画像表示手段２８に表示する（Ｓ１８２）。
【０２３２】
表示したメニューモード選択画面からクイックレビュー設定が選択されたならば（Ｓ１８３）、システム制御回路５０は、クイックレビューフラグを設定して（Ｓ１８４）、Ｓ１８６に進む。
【０２３３】
その他のモード設定が選択されたならば（Ｓ１８３）、選択されたモードに応じて対応するフラグを設定して（Ｓ１８５）、Ｓ１８６に進む。
【０２３４】
なお、クイックレビューフラグ及び選択されたモードに対応したフラグの状態は、システム制御回路５０の内部メモリ或いはメモリ５２に記憶する。
【０２３５】
システム制御回路５０は、撮影系スイッチ７４が押されたならば（Ｓ１８６）、Ｓ１８８に進む。
【０２３６】
撮影系スイッチ７４が押されない場合（Ｓ１８６）、メニュースイッチ６８が設定されたままであったならば（Ｓ１８７）、Ｓ１８２に戻り、一連の処理を繰り返す。
【０２３７】
メニュースイッチ６８が解除されていたならば（Ｓ１８７）、システム制御回路５０は、画像表示手段２８の画像表示をＯＦＦ状態に設定して（Ｓ１８８）、撮影モードを実行するのに必要な各種の設定を行い（Ｓ１８９）、Ｓ１４１に戻る。
【０２３８】
システム制御回路５０は、システム制御回路５０の内部メモリ或いはメモリ５２に記憶された再生画像番号Ｎを読み出して、再生画像番号Ｎに対応する再生画像データを選択した後（Ｓ２０１）、対応する画像データがメモリ３０内に存在するかどうかを判断する（Ｓ２０２）。
【０２３９】
再生画像データに対応する画像データがメモリ３０内の画像記憶バッファ領域に存在するならば、システム制御回路５０は、メモリ３０内の画像記憶バッファ領域に存在する画像データを記憶媒体から読み出したとして割り当てる（Ｓ２０３）。この場合は、記憶媒体２００或いは２１０からの読み出し動作が不要であるため、再生表示動作を高速に開始することが可能となる。
【０２４０】
再生画像データに対応する画像データがメモリ３０内に存在しないならば（Ｓ２０２）、システム制御回路５０は、メモリカードやコンパクトフラッシュ（登録商標）カード等の記録媒体２００或いは２１０から、コネクタ９２或いは９６、インタフェース９０或いは９４を介して、再生画像番号Ｎに対応する画像データを読み出し、メモリ３０の画像記憶バッファ領域に記憶する、記録媒体読み出し処理を実行する（Ｓ２０４）。
【０２４１】
システム制御回路５０は、読み出した画像データに対する画像伸長処理を画像圧縮・伸長回路３２により行い（Ｓ２０５）、画像伸長処理を行った画像をメモリ３０内の所定領域に格納する。
【０２４２】
システム制御回路５０は、画像伸長処理を行って格納した画像データをメモリ３０の所定領域より読み出して、メモリ制御回路２２を介して画像表示メモリ２４に転送する表示画像処理を実行する（Ｓ２０６）。
【０２４３】
システム制御回路５０は、画像表示部２８の画像表示をＯＮ状態に設定し（Ｓ２０７）、Ｓ２０６において転送した表示画像データを、画像表示メモリ２４から読み出してメモリ制御回路２２、Ｄ／Ａ変換器２６を介して画像表示部２８により表示する（Ｓ２０８）。
【０２４４】
再生画像を表示している際に、シャッタースイッチＳＷ１が放された状態であったならば（Ｓ２０９）、システム制御回路５０は、再生画像選択処理を実行する（Ｓ２１０）。
【０２４５】
この再生画像選択処理Ｓ２１０の詳細は図１０を用いて後述する。
【０２４６】
再生画像選択処理Ｓ２１０を終えたならば、Ｓ１０３に戻る。
【０２４７】
再生画像を表示している際に、シャッタースイッチＳＷ１が押された状態であったならば（Ｓ２０９）、システム制御回路５０は、システム制御回路５０の内部メモリ或いはメモリ５２に記憶された画像表示フラグの状態を判断し（Ｓ２１１）、画像表示フラグが設定されていたならば（Ｓ２１１）、Ｓ２１３に進む。
【０２４８】
画像表示フラグが解除されていたならば（Ｓ２１１）、画像表示部２８の画像表示をＯＦＦ状態に設定して（Ｓ２１２）、Ｓ２１３に進む。
【０２４９】
システム制御回路５０は、再生モードフラグを解除し（Ｓ２１３）、撮影モードを実行するのに必要な各種の設定を行い（Ｓ２１４）、Ｓ１０３に戻る。
【０２５０】
これにより、画像再生を行っている際にＳＷ１が押されたならば、再生モードフラグを解除し、撮影モード実行に必要な所定の設定を行い、画像処理装置１００が速やかに撮影可能な状態とすることが可能となる。
【０２５１】
図８は、図４のＳ１４２における測距・測光処理の詳細なフローチャートを示す。
【０２５２】
なお、測距・測光処理においては、システム制御回路５０と絞り制御手段３４０或いは測距制御手段３４２との間の各種信号のやり取りは、インタフェース１２０、コネクタ１２２、コネクタ３２２、インタフェース３２０、レンズ制御手段３５０を介して行われる。
【０２５３】
システム制御回路５０は、撮像素子１４の電荷クリア動作を行った後に、シャッター１２が閉じた状態で、撮像素子１４の電荷蓄積（ダーク画像蓄積）を開始する。
【０２５４】
所定の時間が経過したならば、システム制御回路５０は、撮像素子１４から電荷信号を読み出し、Ａ／Ｄ変換器１６、画像処理回路２０、メモリ制御回路２２を介して、或いはＡ／Ｄ変換器１６から直接メモリ制御回路２２を介して、メモリ３０の所定領域への画像データ（ダーク画像データ）を書き込む（Ｓ３０１）。
【０２５５】
このダーク取り込みデータを用いて現像処理を行うことにより、撮像素子１４の発生する暗電流ノイズや撮像素子１４固有のキズによる画素欠損等の画質劣化に関して、撮影した画像データを補正することが出来る。
【０２５６】
なお、このダーク画像データは、新たに測距・測光処理が行われるか、画像処理装置１００の電源がＯＦＦされるまで、メモリ３０の所定領域に保持され、この後、後述する撮影処理が実行されて、そこで、撮影した画像データを撮像素子１４より読み出して、現像処理を行う際に用いられる。
【０２５７】
システム制御回路５０は、撮像素子１４測距手段４２及び測距制御手段３４２を用いて、ＡＦ（オートフォーカス）処理を開始する（Ｓ３０２）。
【０２５８】
続いて、システム制御回路５０は、測光手段４６を用いて、ＡＥ（自動露出）処理を開始する（Ｓ３０３）。
【０２５９】
システム制御回路５０は、レンズ３１０に入射した光線を、絞り３１２、レンズマウント３０６及び１０６、ミラー１３０、不図示の測距用サブミラーを介して、測距手段４２に入射させることにより、光学像として結像された画像の合焦状態を判断し、測距（ＡＦ）が合焦と判断されるまで（Ｓ３０４）、測距制御手段３４２を用いてレンズ３１０を駆動しながら、測距手段４２を用いて合焦状態を検出するＡＦ制御を継続する（Ｓ３０５）。
【０２６０】
測距（ＡＦ）が合焦と判断したならば（Ｓ３０４）、システム制御回路５０は、測距データ及び或いは設定パラメータをシステム制御回路５０の内部メモリ或いはメモリ５２に記憶し（Ｓ３０５）、Ｓ３０７に進む。
【０２６１】
システム制御回路５０は、レンズ３１０に入射した光線を、絞り３１２、レンズマウント３０６及び１０６、ミラー１３０及び１３２そして不図示の測光用レンズを介して、測光手段４６に入射させることにより、光学像として結像された画像の露出状態を測定し、露出（ＡＥ）が適性と判断されるまで（Ｓ３０７）、露光制御手段４０を用いて測光処理を行う（Ｓ３０８）。
【０２６２】
測光処理Ｓ３０８で得られる測定データにより、システム制御回路５０はフラッシュが必要か否かを判断し（Ｓ３１０）、フラッシュが必要ならばフラッシュフラグをセットし、フラッシュ４８を充電する（Ｓ３１１）。
【０２６３】
露出（ＡＥ）が適性と判断したならば（Ｓ３０７）、システム制御回路５０は、測光データ及び或いは設定パラメータをシステム制御回路５０の内部メモリ或いはメモリ５２に記憶し（Ｓ３０９）、Ｓ３１２に進む。
【０２６４】
ＡＦ（オートフォーカス）処理及びＡＥ（自動露出）処理を終えたならば、測距・測光処理ルーチンＳ１４２を終了する。
【０２６５】
図９は、図５のＳ１５０における撮影処理の詳細なフローチャートを示す。
【０２６６】
なお、撮影処理においては、システム制御回路５０と絞り制御手段３４０或いは測距制御手段３４２との間の各種信号のやり取りは、インタフェース１２０、コネクタ１２２、コネクタ３２２、インタフェース３２０、レンズ制御手段３５０を介して行われる。
【０２６７】
システム制御回路５０は、システム制御回路５０の内部メモリ或いはメモリ５２に記憶される測光データに従い、絞り制御手段３４０によって絞り３１２を所定の絞り値まで駆動すると共に（Ｓ４０１）、ミラー１３０を不図示のミラー駆動手段によってミラーアップ位置に移動する（Ｓ４０２）。
【０２６８】
システム制御回路５０は、撮像素子１４の電荷クリア動作を行った後に、撮像素子１４の電荷蓄積を開始した後、シャッター制御手段４０によって、シャッター１２を開き（Ｓ４０３）、撮像素子１４を露光する（Ｓ４０４）。
【０２６９】
ここで、フラッシュ・フラグによりフラッシュ４８が必要か否かを判断し（Ｓ４０５）、必要な場合はフラッシュを発光させる（Ｓ４０６）。
【０２７０】
システム制御回路５０は、測光データに従って撮像素子１４の露光終了を待ち（Ｓ４０７）、シャッター制御手段４０によって、シャッター１２を閉じ（Ｓ４０８）、撮像素子１４の露光を終了する。
【０２７１】
システム制御回路５０は、ミラー１３０を不図示のミラー駆動手段によってミラーダウン位置に移動すると共に（Ｓ４０９）、絞り制御手段３４０によって絞り３１２を開放の絞り値まで駆動する（Ｓ４１０）。
【０２７２】
システム制御回路５０は、撮像素子１４から電荷信号を読み出し、Ａ／Ｄ変換器１６、画像処理回路２０、メモリ制御回路２２を介して、或いはＡ／Ｄ変換器１６から直接メモリ制御回路２２を介して、メモリ３０の所定領域への撮影画像データを書き込むと共に、書き込まれた画像データの一部をメモリ制御回路２２を介して読み出して、現像処理を行うために必要なＷＢ（ホワイトバランス）積分演算処理、ＯＢ（オプティカルブラック）積分演算処理を行う（Ｓ４１１）。
【０２７３】
演算結果は、システム制御回路５０の内部メモリ或いはメモリ５２に記憶する。
【０２７４】
システム制御回路５０は、メモリ制御回路２２そして必要に応じて画像処理回路２０を用いて、メモリ３０の所定領域に書き込まれた撮影画像データを読み出して、システム制御回路５０の内部メモリ或いはメモリ５２に記憶した演算結果を用いて、ＡＷＢ（オートホワイトバランス）処理、ガンマ変換処理、色変換処理を含む各種現像処理を行う（Ｓ４１２）。
【０２７５】
現像処理においては、測距・測光処理において取り込んだダーク画像データを用いてダーク補正演算処理も併せて行う。
【０２７６】
一連の処理を終えたならば、撮影処理ルーチンＳ１５０を終了する。
【０２７７】
図１０は、図７のＳ２１０における再生画像選択処理の詳細なフローチャートを示す。
【０２７８】
システム制御回路５０は、操作部７０に含まれる「＋」キーが押されたならば（Ｓ５０１）、再生画像番号ＮがＮ＝Ｎｍａｘかどうかを判断する（Ｓ５０２）。
【０２７９】
現在の再生画像番号ＮがＮ＝Ｎｍａｘであるならば、つまり最後に撮影した再生画像番号を選択している状態で「＋」キーが押されたならば（Ｓ５０２）、システム制御回路５０は、再生画像番号ＮをＮ＝１として、最初の再生画像番号を選択した後に（Ｓ５０３）、再生画像選択処理ルーチンＳ２１０を終了する。
【０２８０】
現在の再生画像番号ＮがＮ＝Ｎｍａｘ以外の番号であるならば、つまり最後に撮影した画像以外の再生画像番号を選択している状態「＋」キーが押されたならば（Ｓ５０２）、システム制御回路５０は、再生画像番号ＮをＮ＝Ｎ＋１として、次の再生画像番号を選択した後に（Ｓ５０４）、再生画像選択処理ルーチンＳ２１０を終了する。
【０２８１】
システム制御回路５０は、「＋」キーが押されずに（Ｓ５０１）、操作部７０に含まれる「−」キーが押されたならば（Ｓ５０５）、再生画像番号ＮがＮ＝１かどうかを判断する（Ｓ５０６）。
【０２８２】
現在の再生画像番号ＮがＮ＝１であるならば、つまり最初に撮影した再生画像番号を選択している状態で「−」キーが押されたならば（Ｓ５０６）、システム制御回路５０は、再生画像番号ＮをＮ＝Ｎｍａｘとして、最後に撮影した再生画像番号を選択した後に（Ｓ５０７）、再生画像選択処理ルーチンＳ２１０を終了する。
【０２８３】
現在の再生画像番号ＮがＮ＝１以外の番号であるならば、つまり最初に撮影した画像以外の再生画像番号を選択している状態で「−」キーが押されたならば（Ｓ５０６）、システム制御回路５０は、再生画像番号ＮをＮ＝Ｎ−１として、前の再生画像番号を選択した後に（Ｓ５０８）、再生画像選択処理ルーチンＳ２１０を終了する。
【０２８４】
そして、システム制御回路５０は、「＋」キーが押されず（Ｓ５０１）、「−」キーも押されないならば（Ｓ５０５）、再生画像番号Ｎを更新せずに、再生画像選択処理ルーチンＳ２１０を終了する。
【０２８５】
図１１は、図２のＳ１１１における表示手段５４による表示を用いた設定実行処理の詳細なフローチャートを示す。
【０２８６】
システム制御回路５０は、システム制御回路５０の内部メモリ或いはメモリ５２に記憶された押し下げられたスイッチのイベントに応じて（Ｓ６０１〜Ｓ６０４）、対応するモード設定を行う表示を表示手段５４によって行う。
【０２８７】
測光モード選択スイッチが押し下げられたイベントが記憶されていたならば、表示手段５４による測光モード設定表示を行い（Ｓ６０５）、操作部７０に含まれる電子ダイアルを左右に回転させることにより、評価測光モード、平均測光モード、部分測光モード、スポット測光モードを表示手段５４の表示を見ながら選択し、再度測光モード選択スイッチが押される或いはシャッタースイッチＳＷ１が押されることにより、表示手段５４による表示を用いた設定実行処理Ｓ１１１を終了する。
【０２８８】
ドライブモード選択スイッチが押し下げられたイベントが記憶されていたならば、表示手段５４によるドライブモード設定表示を行い（Ｓ６０９）、操作部７０に含まれる電子ダイアルを左右に回転させることにより、連写撮影モード、単写撮影モード、セルフタイマー撮影モードを表示手段５４の表示を見ながら選択し、再度ドライブモード選択スイッチが押される或いはシャッタースイッチＳＷ１が押されることにより、表示手段５４による表示を用いた設定実行処理Ｓ１１１を終了する。
【０２８９】
調光補正設定スイッチが押し下げられたイベントが記憶されていたならば、表示手段５４による調光補正設定表示を行い（Ｓ６０６）、操作部７０に含まれる電子ダイアルを左右に回転させることにより、調光補正量を表示手段５４の表示を見ながら選択し、再度調光補正設定スイッチが押される或いはシャッタースイッチＳＷ１が押されることにより、表示手段５４による表示を用いた設定実行処理Ｓ１１１を終了する。
【０２９０】
ＡＦモード選択スイッチが押し下げられたイベントが記憶されていたならば、表示手段５４によるＡＦモード設定表示を行い（Ｓ６０７）、操作部７０に含まれる電子ダイアルを左右に回転させることにより、ワンショットＡＦ撮影モード、ＡＩサーボＡＦ撮影モード、ＡＩフォーカスＡＦ撮影モードを表示手段５４の表示を見ながら選択し、再度ＡＦモード選択スイッチが押される或いはシャッタースイッチＳＷ１が押されることにより、表示手段５４による表示を用いた設定実行処理Ｓ１１１を終了する。
【０２９１】
ＷＢモード選択スイッチが押し下げられたイベントが記憶されていたならば、表示手段５４によるＷＢモード設定表示を行い（Ｓ６０８）、操作部７０に含まれる電子ダイアルを左右に回転させることにより、オートＷＢモード、デイライトＷＢモード、曇りＷＢモード、白熱灯ＷＢモード、蛍光灯ＷＢモード、ストロボＷＢモード、マニュアルＷＢモードを表示手段５４の表示を見ながら選択し、再度ＷＢモード選択スイッチが押される或いはシャッタースイッチＳＷ１が押されることにより、表示手段５４による表示を用いた設定実行処理Ｓ１１１を終了する。
【０２９２】
その他のモード選択スイッチが押し下げられたイベントが記憶されていたならば、表示手段５４による所定のモード設定表示を行い（Ｓ６１０）、操作部７０に含まれる電子ダイアルを左右に回転させることにより、所定のモードを表示手段５４の表示を見ながら選択し、再度その他のモード選択スイッチが押される或いはシャッタースイッチＳＷ１が押されることにより、表示手段５４による表示を用いた設定実行処理Ｓ１１１を終了する。
【０２９３】
図１２は、図２のＳ１１４における画像表示手段２８による表示を用いた設定実行処理の詳細なフローチャートを示す。
【０２９４】
システム制御回路５０は、システム制御回路５０の内部メモリ或いはメモリ５２に記憶された押し下げられたスイッチのイベントに応じて（Ｓ７０１〜Ｓ７０４）、対応するモード設定を行う表示を画像表示手段２８によって行う。
【０２９５】
測光モード選択スイッチが押し下げられたイベントが記憶されていたならば、画像表示手段２８による測光モード設定表示を行い（Ｓ７０５）、操作部７０に含まれる電子ダイアルを左右に回転させることにより、評価測光モード、平均測光モード、部分測光モード、スポット測光モードを画像表示手段２８の表示を見ながら選択し、再度測光モード選択スイッチが押される或いはシャッタースイッチＳＷ１が押されることにより、画像表示手段２８による表示を用いた設定実行処理Ｓ１１１を終了する。
【０２９６】
ドライブモード選択スイッチが押し下げられたイベントが記憶されていたならば、画像表示手段２８によるドライブモード設定表示を行い（Ｓ７０９）、操作部７０に含まれる電子ダイアルを左右に回転させることにより、連写撮影モード、単写撮影モード、セルフタイマー撮影モードを画像表示手段２８の表示を見ながら選択し、再度ドライブモード選択スイッチが押される或いはシャッタースイッチＷ１が押されることにより、画像表示手段２８による表示を用いた設定実行処理Ｓ１１１を終了する。
【０２９７】
調光補正設定スイッチが押し下げられたイベントが記憶されていたならば、画像表示手段２８による調光補正設定表示を行い（Ｓ７０６）、操作部７０に含まれる電子ダイアルを左右に回転させることにより、調光補正量を画像表示手段２８の表示を見ながら選択し、再度調光補正設定スイッチが押される或いはシャッタースイッチＳＷ１が押されることにより、画像表示手段２８による表示を用いた設定実行処理Ｓ１１１を終了する。
【０２９８】
ＡＦモード選択スイッチが押し下げられたイベントが記憶されていたならば、画像表示手段２８によるＡＦモード設定表示を行い（Ｓ７０７）、操作部７０に含まれる電子ダイアルを左右に回転させることにより、ワンショットＡＦ撮影モード、ＡＩサーボＡＦ撮影モード、ＡＩフォーカスＡＦ撮影モードを画像表示手段２８の表示を見ながら選択し、再度ＡＦモード選択スイッチが押される或いはシャッタースイッチＳＷ１が押されることにより、画像表示手段２８による表示を用いた設定実行処理Ｓ１１１を終了する。
【０２９９】
ＷＢモード選択スイッチが押し下げられたイベントが記憶されていたならば、画像表示手段２８によるＷＢモード設定表示を行い（Ｓ７０８）、操作部７０に含まれる電子ダイアルを左右に回転させることにより、オートＷＢモード、デイライトＷＢモード、曇りＷＢモード、白熱灯ＷＢモード、蛍光灯ＷＢモード、ストロボＷＢモード、マニュアルＷＢモードを画像表示手段２８の表示を見ながら選択し、再度ＷＢモード選択スイッチが押される或いはシャッタースイッチＳＷ１が押されることにより、画像表示手段２８による表示を用いた設定実行処理Ｓ１１１を終了する。
【０３００】
その他のモード選択スイッチが押し下げられたイベントが記憶されていたならば、画像表示手段２８による所定のモード設定表示を行い（Ｓ７１０）、操作部７０に含まれる電子ダイアルを左右に回転させることにより、所定のモードを画像表示手段２８の表示を見ながら選択し、再度その他のモード選択スイッチが押される或いはシャッタースイッチＳＷ１が押されることにより、画像表示手段２８による表示を用いた設定実行処理Ｓ１１１を終了する。
【０３０１】
図１３は、本発明の実施例のレイアウト構成を示す説明図である。
【０３０２】
図に示すように、照明手段を備えないＬＣＤ等からなる表示手段５４は、画像処理装置１００の撮影操作に適した位置に設けられている。
【０３０３】
撮影系スイッチ類７４は、表示手段５４の近傍に配置され、撮影待機状態を保持しながら設定変更し易いレイアウト構成としている。
【０３０４】
一方、バックライト照明を備えＴＦＴ等からなる画像表示手段２８は、画像処理装置１００の再生操作、メニュー設定操作に適した位置に設けられている。
【０３０５】
再生スイッチ６６、メニュースイッチ６８等は、画像表示手段２８の近傍に配置され、再生画面やメニュー設定画面を見ながら操作し易いレイアウト構成としている。
【０３０６】
なお、この説明図は一例であり、照明手段を備えない表示手段５４と照明手段を備えた画像表示手段２８を共に備える構成であれば、他のレイアウト構成でも構わない。
【０３０７】
以上説明した様に、本発明の実施例によれば、通常の撮影系操作においては、撮影系スイッチ７４を所定時間より短く押すことにより表示手段５４での設定表示を行い、表示手段５４を見ながら撮影系スイッチ７４を操作することを可能とし、一方、夜間等の暗い状況での撮影系操作においては、撮影系スイッチ７４を所定時間より長く押すことにより画像表示手段２８での設定表示を行い、バックライト照明を備える画像表示手段２８を見ながら撮影系スイッチ７４を操作することを可能とし、通常時の操作性と暗時の視認性を共に満たすことを可能にすることが出来る。
【０３０８】
(他の実施例)
なお、実施例の説明においては、撮影系スイッチ７４を所定時間より短く押すことにより表示手段５４での設定表示を行い、撮影系スイッチ７４を所定時間より長く押すことにより画像表示手段２８での設定表示を行うとして説明したが、測光手段４６の測光結果を用いて判断を行うようにしても問題無い。
【０３０９】
つまり、撮影系スイッチ７４を押した際に、測光手段４６の測光結果から所定の明るさ以上であると判断したならば表示手段５４での設定表示を行い、測光手段４６の測光結果から所定の明るさ以下であると判断したならば画像表示手段２８での設定表示を行うようにすれば良い。
【０３１０】
さらに、測光手段４６とは別に、表示手段５４付近の明るさを測定する手段を別に設け、その測定結果に応じて上記判断を行うようにしても良い。
【０３１１】
また、フラッシュ４８の動作状態を用いて判断を行うようにしても良い。
【０３１２】
つまり、撮影系スイッチ７４を押した際に、フラッシュ４８が動作状態に設定されていないと判断したならば表示手段５４での設定表示を行い、フラッシュ４８が動作状態に設定されていると判断したならば画像表示手段２８での設定表示を行うようにすれば良い。
【０３１３】
なお、実施例の説明に於いては、ミラー１３０をミラーアップ位置、ミラーダウン位置に移動して撮影動作を行うとして説明したが、ミラー１３０をハーフミラーの構成として、移動せずに撮影動作を行う様にしても問題ない。
【０３１４】
そして、画像表示部２８をＯＦＦする場合に、画像表示部２８を構成する全ての要素をＯＦＦするとして説明したが、画像表示部２８の要素の一部をＯＦＦするだけでも問題ない。
【０３１５】
例えば、画像表示部２８がＬＣＤとバックライトから構成されている場合、ＬＣＤがＯＮのままバックライトのみをＯＦＦしても良い。
【０３１６】
また、スルー表示とクイックレビュー表示を行うそれぞれ専用の画像表示部を備える構成として、それらの表示部のＯＮ／ＯＦＦを画像表示ＯＮ／ＯＦＦスイッチ及びクイックレビュー設定スイッチの設定に応じて行う構成としても構わない。
【０３１７】
そして、画像表示ＯＮ／ＯＦＦスイッチとクイックレビュー設定スイッチを備えない構成であっても、或いは、画像表示ＯＮ／ＯＦＦスイッチとクイックレビュー設定スイッチの何れかを備えない構成であっても、勿論問題ない。
【０３１８】
なお、記録媒体２００及び２１０は、ＰＣＭＣＩＡカードやコンパクトフラッシュ（登録商標）等のメモリカード、ハードディスク等だけでなく、マイクロＤＡＴ、光磁気ディスク、ＣＤ−ＲやＣＤ−ＷＲ等の光ディスク、ＤＶＤ等の相変化型光ディスク等で構成されていても勿論問題ない。
【０３１９】
また、記録媒体２００及び２１０がメモリカードとハードディスク等が一体となった複合媒体であっても勿論問題ない。さらに、その複合媒体から一部が着脱可能な構成としても勿論問題ない。
【０３２０】
そして、実施例の説明に於いては、記録媒体２００及び２１０は画像処理装置１００と分離していて任意に接続可能なものとして説明したが、いずれか或いは全ての記録媒体が画像処理装置１００に固定したままとなっていても勿論問題ない。
【０３２１】
また、画像処理装置１００に記録媒体２００或いは２１０が、単数或いは複数の任意の個数接続可能な構成であっても構わない。
【０３２２】
そして、画像処理装置１００に記録媒体２００及び２１０が装着する構成として説明したが、記録媒体は単数或いは複数の何れの組み合わせの構成であっても、勿論問題ない。
【図面の簡単な説明】
【０３２３】
【図１】本発明の一実施例の構成ブロック図である。
【図２】本実施例の主ルーチンのフローチャートの一部である。
【図３】本実施例の主ルーチンのフローチャートの一部である。
【図４】本実施例の主ルーチンのフローチャートの一部である。
【図５】本実施例の主ルーチンのフローチャートの一部である。
【図６】本実施例の主ルーチンのフローチャートの一部である。
【図７】本実施例の主ルーチンのフローチャートの一部である。
【図８】本実施例の測距・測光処理ルーチンのフローチャートである。
【図９】本実施例の撮影処理ルーチンのフローチャートである。
【図１０】本実施例の再生画像選択処理ルーチンのフローチャートである。
【図１１】本実施例の表示手段５４による表示を用いた設定実行処理ルーチンのフローチャートである。
【図１２】本実施例の画像表示手段２８による表示を用いた設定実行処理ルーチンのフローチャートである。
【図１３】本実施例の表示手段５４、画像表示手段２８及び撮影系スイッチ７４のレイアウトの一例を示す説明図である。
【符号の説明】
【０３２４】
１２  シャッター
１４  撮像素子
１６  Ａ／Ｄ変換器
１８  タイミング発生回路
２０  画像処理回路
２２  メモリ制御回路
２４  画像表示メモリ
２６  Ｄ／Ａ変換器
２８  画像表示部
３０  メモリ
３２  画像圧縮・伸長回路
４０  シャッター制御手段
４２  測距手段
４６  測光手段
４８  フラッシュ
５０  システム制御回路
５２  メモリ
５４  表示部
５６  不揮発性メモリ
６０  モードダイアルスイッチ
６２  シャッタースイッチＳＷ１
６４  シャッタースイッチＳＷ２
６６  再生スイッチ
６８  メニュースイッチ
７０  操作部
７２  電源スイッチ
７４  撮影系スイッチ
８０  電源制御手段
８２  コネクタ
８４  コネクタ
８６  電源手段
９０  インタフェース
９２  コネクタ
９４  インタフェース
９６  コネクタ
９８  記録媒体着脱検知手段
１００  画像処理装置
１０４  光学ファインダ
１０６  レンズマウント
１１０  通信手段
１１２  コネクタ（またはアンテナ）
１２０  インタフェース
１２２  コネクタ
１３０  ミラー
１３２  ミラー
２００  記録媒体
２０２  記録部
２０４  インタフェース
２０６  コネクタ
２１０  記録媒体
２１２  記録部
２１４  インタフェース
２１６  コネクタ
３００  レンズユニット
３０６  レンズマウント
３１０  撮影レンズ
３１２  絞り
３２０  インタフェース
３２２  コネクタ
３４０  露光制御手段
３４２  測距制御手段
３４４  ズーム制御手段
３５０  レンズシステム制御回路
【図１】
2006217312.tif 000003
【図２】
2006217312.tif 000004
【図３】
2006217312.tif 000005
【図４】
2006217312.tif 000006
【図５】
2006217312.tif 000007
【図６】
2006217312.tif 000008
【図７】
2006217312.tif 000009
【図８】
2006217312.tif 000010
【図９】
2006217312.tif 000011
【図１０】
2006217312.tif 000012
【図１１】
2006217312.tif 000013
【図１２】
2006217312.tif 000014
【図１３】
2006217312.tif 000015